(57)【要約】【課題】監視領域にいる人に対して自動体外式除細動器の状態を報知することができると共に、設置スペースのコンパクト化を図ることが可能になる、火災報知システム、及び自動体外式除細動器を提供すること。【解決手段】火災報知システムは、監視領域における火災を検知して警報を行う火災報知システムであって、火災情報を表示灯６１により出力する表示装置６０と、除細動を行うＡＥＤ４０と、ＡＥＤ４０との間で無線通信を行う無線通信部５２と、を備え、ＡＥＤ４０は、当該ＡＥＤ４０の状態を判定する判定部４８ａと、判定部４８ａの判定結果に基づいて、当該ＡＥＤ４０の状態を示す状態情報を含む信号を無線通信部５２に無線にて通信する無線通信部４４ｂと、を備え、表示装置６０は、無線通信部４４ｂから送信された状態情報を含む信号が無線通信部５２を介して受信された場合に、当該状態情報を表示灯６１に出力させる。【選択図】図３
2016151972.tif 000002
【特許請求の範囲】
【請求項１】
監視領域における火災を検知して警報を行う火災報知システムであって、
火災の報知を示す火災情報を出力手段により出力する火災情報出力装置と、
除細動を行う自動体外式除細動器と、
前記自動体外式除細動器との間で無線通信を行う第１無線通信手段と、を備え、
前記自動体外式除細動器は、
当該自動体外式除細動器の状態を判定する判定手段と、
前記判定手段の判定結果に基づいて、当該自動体外式除細動器の状態を示す状態情報を含む信号を前記第１無線通信手段に無線にて通信する第２無線通信手段と、を備え、
前記火災情報出力装置は、
前記第２無線通信手段から送信された前記状態情報を含む信号が前記第１無線通信手段を介して受信された場合に、当該状態情報を前記出力手段に出力させる、
火災報知システム。
【請求項２】
前記自動体外式除細動器の状態として、当該自動体外式除細動器の使用状態を含み、
前記自動体外式除細動器の前記第２無線通信手段は、
前記判定手段によって前記自動体外式除細動器が使用状態であると判定された場合に、当該自動体外式除細動器が使用状態である旨を示す前記状態情報を含む信号を前記第１無線通信手段に無線にて通信する、
請求項１に記載の火災報知システム。
【請求項３】
前記自動体外式除細動器の状態として、当該自動体外式除細動器の故障状態を含み、
前記自動体外式除細動器の前記第２無線通信手段は、
前記判定手段によって前記自動体外式除細動器が故障状態であると判定された場合に、当該自動体外式除細動器が故障状態である旨を示す前記状態情報を含む信号を前記第１無線通信手段に無線にて通信する、
請求項１又は２に記載の火災報知システム。
【請求項４】
前記自動体外式除細動器の状態として、当該自動体外式除細動器の使用を必要とする使用必要状態を含み、
前記自動体外式除細動器の前記第２無線通信手段は、
前記判定手段によって前記自動体外式除細動器が使用必要状態であると判定された場合に、当該自動体外式除細動器が使用必要状態である旨を示す前記状態情報を含む信号を前記第１無線通信手段に無線にて通信する、
請求項１から３のいずれか一項に記載の火災報知システム。
【請求項５】
前記火災情報出力装置として、前記火災情報を表示手段により表示する表示装置を備え、
前記表示装置は、
前記第２無線通信手段から送信された前記状態情報を含む信号が前記第１無線通信手段を介して受信された場合に、当該状態情報を前記表示手段に表示させる、
請求項１から４のいずれか一項に記載の火災報知システム。
【請求項６】
前記火災情報出力装置として、前記火災情報を警報音出力手段により警報音で出力する音響装置を備え、
前記音響装置は、
前記第２無線通信手段から送信された前記状態情報を含む信号が前記第１無線通信手段を介して受信された場合に、当該状態情報を前記警報音出力手段に出力させる、
請求項１から５のいずれか一項に記載の火災報知システム。
【請求項７】
前記自動体外式除細動器は、
前記状態情報を含む信号の通信停止の指示を受け付ける通信停止操作手段を備え、
前記自動体外式除細動器の前記第２無線通信手段は、
前記通信停止操作手段を介して前記状態情報を含む信号の通信停止の指示が受け付けられた場合に、当該状態情報を含む信号の通信を停止する、
請求項１から６のいずれか一項に記載の火災報知システム。
【請求項８】
前記自動体外式除細動器は、
当該自動体外式除細動器とは異なる他の装置と相互に通話可能に接続されたものであって、
音声を入力する音声入力手段と、
音声を出力する音声出力手段と、
当該自動体外式除細動器のユーザと前記他の装置のユーザとの間で、音声によって行われる通話に関する処理を行う通話処理手段と、を備えた、
請求項１から７のいずれか一項に記載の火災報知システム。
【請求項９】
前記自動体外式除細動器は、
前記他の装置と相互に通信可能に接続されたものであって、
当該自動体外式除細動器の周囲の画像を撮像する撮像手段、又は、画像を表示する画像表示手段を備え、
前記自動体外式除細動器の前記通話処理手段は、
前記撮像手段にて撮像された画像を含む信号を前記第２無線通信手段を介して前記他の装置に通信し、又は、
前記他の装置から送信された画像を含む信号が前記第２無線通信手段を介して受信された場合に、当該画像を前記画像表示手段に表示させる、
請求項８に記載の火災報知システム。
【請求項１０】
除細動を行う自動体外式除細動器であって、
当該自動体外式除細動器の状態を判定する判定手段と、
第１無線通信手段との間で無線通信を行う第２無線通信手段であり、前記判定手段の判定結果に基づいて、当該自動体外式除細動器の状態を示す状態情報を含む信号を、前記第１無線通信手段を介して火災の報知を示す火災情報を出力する火災情報出力装置に送信する第２無線通信手段と、
を備えた自動体外式除細動器。
【発明の詳細な説明】
【技術分野】
【０００１】
本発明は、火災報知システム、及び自動体外式除細動器に関する。
【背景技術】
【０００２】
従来、各種の建物には、心臓が正常に拍動できなくなった状態となった人に対して、電気ショックにより心臓を正常なリズムに戻すこと（いわゆる除細動）を行うための自動体外式除細動器（以下、「ＡＥＤ」と称する）が設置されている。このＡＥＤは、様々な態様で建物に設置されており、例えば、建物内に設けられた専用の収納箱に収容されている（例えば、特許文献１参照）。
【先行技術文献】
【特許文献】
【０００３】
【特許文献１】特開２０１０−１９４０３０号公報
【発明の概要】
【発明が解決しようとする課題】
【０００４】
ここで、ＡＥＤを使用したり、又は管理する上で、ＡＥＤの状態に応じて様々な措置が講じられる。例えば、心臓が正常に拍動できなくなった状態となった人に対して救命活動を行うために、ＡＥＤが使用されている状態では、ＡＥＤの使用者以外の第三者（例えば、ＡＥＤの使用者から離れた場所にいる防災センター要員等）が、当該救命活動のサポートを行う等の措置が講じられる。よって、このような措置を迅速に行うために、建物にいる人に対してＡＥＤの状態を報知できる技術が望まれている。しかしながら、上記従来の技術においては、収納箱がＡＥＤを単に収容するものに過ぎず、ＡＥＤの状態を報知することができなかった。よって、建物にいる人が、ＡＥＤの状態を把握できなかったため、ＡＥＤの状態に応じた必要な措置を迅速に取りづらくなるという問題が生じていた。
【０００５】
一方、このような問題を解決するためには、収納箱に、ＡＥＤの状態を出力する出力手段を設けることが考えられる。しかしながら、上記出力手段を設けるためのスペースを確保する必要があることから、設置スペースのコンパクト化を図ることが難しくなるという問題があった。
【０００６】
本発明は、上記に鑑みてなされたものであって、建物の監視領域にいる人に対して自動体外式除細動器の状態を報知することができると共に、設置スペースのコンパクト化を図ることが可能になる、火災報知システム、及び自動体外式除細動器を提供することを目的とする。
【課題を解決するための手段】
【０００７】
上述した課題を解決し、目的を達成するために、請求項１に記載の火災報知システムは、監視領域における火災を検知して警報を行う火災報知システムであって、火災の報知を示す火災情報を出力手段により出力する火災情報出力装置と、除細動を行う自動体外式除細動器と、前記自動体外式除細動器との間で無線通信を行う第１無線通信手段と、を備え、前記自動体外式除細動器は、当該自動体外式除細動器の状態を判定する判定手段と、前記判定手段の判定結果に基づいて、当該自動体外式除細動器の状態を示す状態情報を含む信号を前記第１無線通信手段に無線にて通信する第２無線通信手段と、を備え、前記火災情報出力装置は、前記第２無線通信手段から送信された前記状態情報を含む信号が前記第１無線通信手段を介して受信された場合に、当該状態情報を前記出力手段に出力させる。
【０００８】
請求項２に記載の火災報知システムは、請求項１に記載の火災報知システムにおいて、前記自動体外式除細動器の状態として、当該自動体外式除細動器の使用状態を含み、前記自動体外式除細動器の前記第２無線通信手段は、前記判定手段によって前記自動体外式除細動器が使用状態であると判定された場合に、当該自動体外式除細動器が使用状態である旨を示す前記状態情報を含む信号を前記第１無線通信手段に無線にて通信する。
【０００９】
請求項３に記載の火災報知システムは、請求項１又は２に記載の火災報知システムにおいて、前記自動体外式除細動器の状態として、当該自動体外式除細動器の故障状態を含み、前記自動体外式除細動器の前記第２無線通信手段は、前記判定手段によって前記自動体外式除細動器が故障状態であると判定された場合に、当該自動体外式除細動器が故障状態である旨を示す前記状態情報を含む信号を前記第１無線通信手段に無線にて通信する。
【００１０】
請求項４に記載の火災報知システムは、請求項１から３のいずれか一項に記載の火災報知システムにおいて、前記自動体外式除細動器の状態として、当該自動体外式除細動器の使用を必要とする使用必要状態を含み、前記自動体外式除細動器の前記第２無線通信手段は、前記判定手段によって前記自動体外式除細動器が使用必要状態であると判定された場合に、当該自動体外式除細動器が使用必要状態である旨を示す前記状態情報を含む信号を前記第１無線通信手段に無線にて通信する。
【００１１】
請求項５に記載の火災報知システムは、請求項１から４のいずれか一項に記載の火災報知システムにおいて、前記火災情報出力装置として、前記火災情報を表示手段により表示する表示装置を備え、前記表示装置は、前記第２無線通信手段から送信された前記状態情報を含む信号が前記第１無線通信手段を介して受信された場合に、当該状態情報を前記表示手段に表示させる。
【００１２】
請求項６に記載の火災報知システムは、請求項１から５のいずれか一項に記載の火災報知システムにおいて、前記火災情報出力装置として、前記火災情報を警報音出力手段により警報音で出力する音響装置を備え、前記音響装置は、前記第２無線通信手段から送信された前記状態情報を含む信号が前記第１無線通信手段を介して受信された場合に、当該状態情報を前記警報音出力手段に出力させる。
【００１３】
請求項７に記載の火災報知システムは、請求項１から６のいずれか一項に記載の火災報知システムにおいて、前記自動体外式除細動器は、前記状態情報を含む信号の通信停止の指示を受け付ける通信停止操作手段を備え、前記自動体外式除細動器の前記第２無線通信手段は、前記通信停止操作手段を介して前記状態情報を含む信号の通信停止の指示が受け付けられた場合に、当該状態情報を含む信号の通信を停止する。
【００１４】
請求項８に記載の火災報知システムは、請求項１から７のいずれか一項に記載の火災報知システムにおいて、前記自動体外式除細動器は、当該自動体外式除細動器とは異なる他の装置と相互に通話可能に接続されたものであって、音声を入力する音声入力手段と、音声を出力する音声出力手段と、当該自動体外式除細動器のユーザと前記他の装置のユーザとの間で、音声によって行われる通話に関する処理を行う通話処理手段と、を備えた。
【００１５】
請求項９に記載の火災報知システムは、請求項８に記載の火災報知システムにおいて、前記自動体外式除細動器は、前記他の装置と相互に通信可能に接続されたものであって、当該自動体外式除細動器の周囲の画像を撮像する撮像手段、又は、画像を表示する画像表示手段を備え、前記自動体外式除細動器の前記通話処理手段は、前記撮像手段にて撮像された画像を含む信号を前記第２無線通信手段を介して前記他の装置に通信し、又は、前記他の装置から送信された画像を含む信号が前記第２無線通信手段を介して受信された場合に、当該画像を前記画像表示手段に表示させる。
【００１６】
請求項１０に記載の自動体外式除細動器は、除細動を行う自動体外式除細動器であって、当該自動体外式除細動器の状態を判定する判定手段と、第１無線通信手段との間で無線通信を行う第２無線通信手段であり、前記判定手段の判定結果に基づいて、当該自動体外式除細動器の状態を示す状態情報を含む信号を、前記第１無線通信手段を介して火災の報知を示す火災情報を出力する火災情報出力装置に送信する第２無線通信手段と、を備えた。
【発明の効果】
【００１７】
請求項１に記載の火災報知システムによれば、自動体外式除細動器が、判定手段の判定結果に基づいて、当該自動体外式除細動器の状態を示す状態情報を含む信号を第１無線通信手段に無線にて通信する第２無線通信手段と、を備え、火災情報出力装置が、第２無線通信手段から送信された状態情報を含む信号が第１無線通信手段を介して受信された場合に、当該状態情報を出力手段に出力させるので、自動体外式除細動器が第１無線通信手段から離れた場所で使用された場合でも、当該自動体外式除細動器から送信された状態情報を含む信号を第１無線通信手段を介して火災情報出力装置が受信でき、監視領域にいる人に対して状態情報を提示することが可能となる。これにより、監視領域にいる人が、自動体外式除細動器の状態を把握でき、従来技術に比べて自動体外式除細動器の状態に応じた必要な措置を迅速に取ることが可能となる。また、火災情報出力装置の出力手段によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。
【００１８】
請求項２に記載の火災報知システムによれば、第２無線通信手段が、判定手段によって自動体外式除細動器が使用状態であると判定された場合に、当該自動体外式除細動器が使用状態である旨を示す状態情報を含む信号を第１無線通信手段に無線にて通信するので、監視領域にいる人に対して自動体外式除細動器が使用状態である旨を示す状態情報を提示することができる。これにより、監視領域にいる人が、自動体外式除細動器が使用状態であることを把握できることから、心臓が正常に拍動できなくなった状態となった人に対して救命活動を行うために、自動体外式除細動器が使用されている場合に、この自動体外式除細動器の使用者が、当該使用者以外の第三者からの救命活動のサポートを迅速に受けやすくなる。
【００１９】
請求項３に記載の火災報知システムによれば、第２無線通信手段が、判定手段によって自動体外式除細動器が故障状態であると判定された場合に、当該自動体外式除細動器が故障状態である旨を示す状態情報を含む信号を第１無線通信手段に無線にて通信するので、監視領域にいる人に対して自動体外式除細動器が故障状態である旨を示す状態情報を提示することができる。これにより、監視領域にいる人が、自動体外式除細動器が故障状態であることを把握でき、自動体外式除細動器の点検や修理等を迅速に行うことが可能となる。
【００２０】
請求項４に記載の火災報知システムによれば、第２無線通信手段が、判定手段によって自動体外式除細動器が使用必要状態であると判定された場合に、当該自動体外式除細動器が使用必要状態である旨を示す状態情報を含む信号を第１無線通信手段に無線にて通信するので、監視領域にいる人に対して自動体外式除細動器が使用必要状態である旨を示す状態情報を提示することができる。これにより、監視領域にいる人が、自動体外式除細動器が使用必要状態であることを把握でき、自動体外式除細動器の使用を迅速に開始することが可能となる。
【００２１】
請求項５に記載の火災報知システムによれば、表示装置が、第２無線通信手段から送信された状態情報を含む信号が第１無線通信手段を介して受信された場合に、当該状態情報を表示手段に表示させるので、監視領域にいる人に対して状態情報を表示手段に表示して提示でき、監視領域にいる人に対して状態情報を容易且つ確実に伝えることが可能となる。
【００２２】
請求項６に記載の火災報知システムによれば、音響装置が、第２無線通信手段から送信された状態情報を含む信号が第１無線通信手段を介して受信された場合に、当該状態情報を警報音出力手段に出力させるので、監視領域にいる人に対して聴覚を通じて状態情報を提示できる。よって、監視領域にいる人が、出力手段を視認することができない位置にいる場合、又は、出力手段を視認することができるものの、出力手段に表示される情報を視認することが難しい場合であっても、状態情報を迅速に伝えることが可能となる。
【００２３】
請求項７に記載の火災報知システムによれば、自動体外式除細動器の第２無線通信手段が、通信停止操作手段を介して状態情報を含む信号の通信停止の指示が受け付けられた場合に、当該状態情報を含む信号の通信を停止するので、火災報知システムの管理者等が自動体外式除細動器の点検を行う場合に、状態情報が火災情報出力装置の出力手段によって出力されることを回避できるため、自動体外式除細動器が使用されていないにも関わらず、状態情報が誤って出力されることを防止できる。
【００２４】
請求項８に記載の火災報知システムによれば、自動体外式除細動器が、音声を入力する音声入力手段と、音声を出力する音声出力手段と、当該自動体外式除細動器のユーザと他の装置のユーザとの間で、音声によって行われる通話に関する処理を行う通話処理手段と、を備えているので、自動体外式除細動器のユーザと他の装置のユーザとの対話を通じて、自動体外式除細動器のユーザが他の装置のユーザから自動体外式除細動器の使用についてのアドバイス等を受けることができる。
【００２５】
請求項９に記載の火災報知システムによれば、自動体外式除細動器の通話処理手段は、撮像手段にて撮像された画像を含む信号を第２無線通信手段を介して他の装置に通信し、又は、他の装置から送信された画像を含む信号が第２無線通信手段を介して受信された場合に、当該画像を画像表示手段に表示させるので、自動体外式除細動器のユーザと他の装置のユーザとの相互間で画像のやりとりを行うことができる。よって、例えば、他の装置のユーザが、自動体外式除細動器から受信した画像に基づいて、自動体外式除細動器の周囲の状況等を正確に把握することが可能となる。あるいは、自動体外式除細動器のユーザが、他の装置から受信した画像に基づいて、自動体外式除細動器の使用についてのアドバイス等を正確に把握することが可能となる。
【００２６】
請求項１０に記載の自動体外式除細動器によれば、第１無線通信手段との間で無線通信を行う第２無線通信手段であり、判定手段の判定結果に基づいて、当該自動体外式除細動器の状態を示す状態情報を含む信号を、第１無線通信手段を介して火災の報知を示す火災情報を出力する火災情報出力装置に送信する第２無線通信手段を備えたので、自動体外式除細動器が第１無線通信手段から離れた場所で使用された場合でも、状態情報を含む信号を第１無線通信手段を介して火災情報出力装置に送信できることから、監視領域にいる人に対して状態情報を提示することが可能となる。これにより、監視領域にいる人が、自動体外式除細動器の状態を把握でき、従来技術に比べて自動体外式除細動器の状態に応じた必要な措置を迅速に取ることが可能となる。また、火災情報出力装置の出力手段によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。
【図面の簡単な説明】
【００２７】
【図１】本発明の実施の形態１に係る火災報知システムの構成を示す概略図である。
【図２】複合報知装置の正面図である。
【図３】複合報知装置の電気的構成を示したブロック図である。
【図４】受信機の電気的構成を示したブロック図である。
【図５】感知器又は発信機に関する火災報知処理のフローチャートである。
【図６】表示装置又は音響装置に関する火災報知処理のフローチャートである。
【図７】ＡＥＤに関する使用状態報知処理のフローチャートである。
【図８】表示装置又は音響装置に関する使用状態報知処理のフローチャートである。
【図９】ＡＥＤに関する故障状態報知処理のフローチャートである。
【図１０】表示装置又は音響装置に関する故障状態報知処理のフローチャートである。
【図１１】ＡＥＤに関する使用必要状態報知処理のフローチャートである。
【図１２】表示装置又は音響装置に関する使用必要状態報知処理のフローチャートである。
【図１３】実施の形態２に係る火災報知システムの構成を示す概略図である。
【図１４】複合報知装置の電気的構成を示したブロック図である。
【図１５】受信機の電気的構成を示したブロック図である。
【図１６】感知器又は発信機に関する火災報知処理のフローチャートである。
【図１７】表示装置又は音響装置に関する火災報知処理のフローチャートである。
【発明を実施するための形態】
【００２８】
以下に添付図面を参照して、この発明に係る火災報知システム、及び自動体外式除細動器の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２９】
〔I〕実施の形態の基本的概念
まずは、実施の形態の基本的概念について説明する。実施の形態は、概略的に、監視領域における火災を検知して警報を行う火災報知システムに関するものである。この火災報知システムの制御方式は任意であり、例えば、ポーリング／セレクティング方式によって感知器等の端末機器と受信機との相互間で応答制御を行う方式（いわゆるＲ型方式）と、受信機の回線毎に信号線が引き出され、この回線に接続された端末機器の接点の開閉に基づいて受信機が端末機器からの発報を受ける方式（いわゆるＰ型方式）とを含む。なお、実施の形態に係る火災報知システムの設置対象や適用対象は任意であり、例えば、集合住宅、オフィスビル、あるいは商業施設に適用することができる。以下、実施の形態１では、火災報知システムが、集合住宅（以下、単に「建物」と称する）に適用されたＲ型方式のシステムである場合について説明し、実施の形態２では、火災報知システムが、建物に適用されたＰ型方式のシステムである場合について説明する。
【００３０】
〔II〕実施の形態の具体的内容
次に、実施の形態の具体的内容について説明する。
【００３１】
〔実施の形態１〕
まず、実施の形態１に係る火災報知システムについて説明する。この実施の形態１は、火災報知システムの制御方式をＲ型方式とした形態である。
【００３２】
（構成）
まず、実施の形態１に係る火災報知システムの構成について説明する。図１は、本発明の実施の形態１に係る火災報知システムの構成を示す概略図である。この図１に示すように、火災報知システム１は、感知器１０と、複合報知装置２０と、受信機８０と、通報装置９０とを備えて構成されている。また、感知器１０は、建物の天井や壁に配置されていると共に、複合報知装置２０及び受信機８０は、建物の壁に配置されている。このうち、感知器１０及び複合報知装置２０は、法定の設置間隔を満たすように、各階毎に１台又は複数台が配置されている。また、受信機８０及び通報装置９０は、それぞれ建物に１台配置されており、例えば建物の管理人室に設置されている。
【００３３】
また、これら装置の接続形態については、以下に示す通りに設定されている。具体的には、各装置が共通の信号線で接続される方式（いわゆるＲ型方式）が採用されているので、感知器１０、後述する発信機３０、後述するＡＥＤ４０、後述する中継装置５０、及び通報装置９０の各々が、第１配線２を介して受信機８０と接続されている。また、後述する表示装置６０が、第２配線３を介して受信機８０と接続されていると共に、後述する音響装置７０が、第３配線４を介して受信機８０と接続されている。このような接続により、感知器１０、後述する発信機３０、後述するＡＥＤ４０、後述する中継装置５０、後述する表示装置６０、後述する音響装置７０、及び通報装置９０の各々から受信機８０に対して信号を出力することができると共に、受信機８０から感知器１０、後述する発信機３０、後述するＡＥＤ４０、後述する中継装置５０、後述する表示装置６０、後述する音響装置７０、及び通報装置９０の各々に向けて電力を供給することができる（すなわち、第１配線２、第２配線３、及び第３配線４の各々は、信号線として機能すると共に、電源線としても機能する）。
【００３４】
（構成−感知器）
次に、感知器１０の構成について説明する。感知器１０は、火災を報知する火災信号、又は火災からの復旧を報知する火災復旧信号を送信する有線式の火災報知端末である。この感知器１０は、センサ部、通信部、及び、制御部を備えて構成されている（いずれも図示省略）。なお、この感知器１０は、例えば公知の有線式感知器等によって構成することができるので、その詳細な説明は省略する。
【００３５】
センサ部は、温度や煙濃度等を検知するための検知手段である。通信部は、第１配線２を介して受信機８０との間で通信する通信手段である。制御部は、感知器１０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（なお、後述する発信機３０の制御部、後述するＡＥＤ４０の制御部４８、後述する中継装置５０の制御部５３、後述する表示装置６０の制御部６３、後述する音響装置７０の制御部７３、後述する受信機８０の制御部８７、及び後述する通報装置９０の制御部についても同様とする）。
【００３６】
（構成−複合報知装置）
次に、複合報知装置２０の構成について説明する。図２は、複合報知装置２０の正面図である。図３は、複合報知装置２０の電気的構成を示したブロック図である。複合報知装置２０は、火災を報知するための機器と人を治療するための機器とを組み合わせた装置である。図２、図３に示すように、この複合報知装置２０は、建物内（すなわち監視領域内）に設けられた筐体２１の内部において、発信機３０と、ＡＥＤ４０と、中継装置５０と、表示装置６０と、音響装置７０とを一体に収容して構成されている。また、この複合報知装置２０を構成する装置の接続形態については任意であるが、実施の形態１においては、中継装置５０と、表示装置６０及び音響装置７０の各々とが、第４配線５を介して接続されていると共に、ＡＥＤ４０と中継装置５０とが、無線通信可能に接続されている。このような接続により、中継装置５０と表示装置６０及び音響装置７０の各々との相互間で通信を行うことができると共に、ＡＥＤ４０と中継装置５０との相互間で通信を行うことができる。
【００３７】
（構成−複合報知装置−筐体）
筐体２１は、複合報知装置２０の基本構造体であり、発信機３０と、ＡＥＤ４０と、中継装置５０と、表示装置６０と、音響装置７０とを外部から保護する保護手段である。この筐体２１は、例えば金属材料等にて形成された略箱状体である。具体的には、この筐体２１は、一側面（例えば、前面等）を開放した略箱形状のベース部２２ａであって、発信機３０、ＡＥＤ４０、中継装置５０、表示装置６０、及び音響装置７０を収容するベース部２２ａと、このベース部２２ａの上方部分をその開放面側から略覆う上部正面パネル部２２ｂと、このベース部２２ａの下方部分をその開放面側から略覆う下部正面パネル部２２ｃとを備えて構成されており、上部正面パネル部２２ｂ及び下部正面パネル部２２ｃはベース部２２ａに対して嵌合構造や固定具等にて固定されている（あるいは、上部正面パネル部２２ｂ及び下部正面パネル部２２ｃはベース部２２ａに対して一体に形成されてもよい）。
【００３８】
ここで、このベース部２２ａにおいては、当該ベース部２２ａの上方において、発信機３０、中継装置５０、表示装置６０、及び音響装置７０の各々を構成する各部が固定されていると共に、当該ベース部２２ａの下方において、ＡＥＤ４０を構成する各部が固定されている。また、発信機３０、ＡＥＤ４０、中継装置５０、表示装置６０、又は音響装置７０に接続された第１配線２、第２配線３、及び第３配線４が、ベース部２２ａに形成された開口部（図示省略）を介して筐体２１の外部に引き出されている。
【００３９】
また、上部正面パネル部２２ｂには、後述する発信機３０の非常ボタン３１ａを操作するための第１操作口２３ａと、後述する発信機３０の復旧ボタン３１ｂの一部を外部に露出するための第２操作口２３ｂと、後述する音響装置７０の非常ベル７１から出力された音を、当該筐体２１の外部に放出するための音響孔２３ｃと、後述する表示装置６０の表示灯６１の光を外部に向けて導光するための導光孔２３ｄとが形成されている。また、下部正面パネル部２２ｃには、後述するＡＥＤ４０のＡＥＤ本体部４１を筐体２１内から取り出すための開閉自在な扉部２３ｅが設けられている。また、この扉部２３ｅには、外部からＡＥＤ本体部４１を視認することができるように、透明な樹脂材料にて形成された扉窓部２３ｆが設けられている。
【００４０】
（構成−複合報知装置−発信機）
次に、発信機３０の構成について説明する。発信機３０は、火災信号、火災復旧信号等を送信する有線式の火災報知端末である。図３に示すように、この発信機３０は、操作部、通信部、確認表示灯、制御部、及び記憶部を備えて構成されている（いずれも図示省略）。なお、この発信機３０は、例えば公知の有線式発信機等によって構成することができるので、その詳細な説明は省略する。
【００４１】
操作部は、発信機３０に対する操作入力を受け付けるものであり、非常ボタン３１ａと、復旧ボタン３１ｂとを備えている。このうち、非常ボタン３１ａは、火災信号の送信指示を受け付ける操作手段であり、第１操作口２３ａを介して筐体２１の外部に露出されるように配置されている。また、復旧ボタン３１ｂは、非常ボタン３１ａを介して火災信号の送信指示が受け付けられた場合に、機械的操作によって非常ボタン３１ａの状態を火災信号の送信指示を受け付ける前の状態に復旧させるボタンであり、第２操作口２３ｂを介して筐体２１の外部に露出されるように配置されている。
【００４２】
通信部は、受信機８０との間で第１配線２を介して通信を行うための通信手段である。
【００４３】
確認表示灯は、非常ボタン３１ａが押された旨を表示するものである。この確認表示灯は、例えば、公知のＬＥＤランプ、蛍光ランプ等を用いて構成されており、筐体２１の内部において、筐体２１の外部から当該確認表示灯を視認できる位置（例えば、筐体２１の第１操作口２３ａ近傍の位置等）に配置されている。
【００４４】
制御部は、発信機３０の各部を制御する制御手段である。なお、この制御部によって実行される処理の詳細については後述する。
【００４５】
記憶部は、発信機３０の動作に必要なプログラム及び各種のデータを記憶する記憶手段である。この記憶部は、書き換え可能な記録媒体を用いて構成され、例えばフラッシュメモリ等の不揮発性記録媒体を用いることができる（なお、後述するＡＥＤ４０の記憶部４９、後述する受信機８０の記憶部８８、及び後述する通報装置９０の記憶部についても同様とする）。
【００４６】
（構成−複合報知装置−ＡＥＤ）
次に、ＡＥＤ４０の構成について説明する。ＡＥＤ４０は、上述した除細動を行う医療機器である。図３に示すように、このＡＥＤ４０は、ＡＥＤ本体部４１の内部において、操作部４２（少なくとも一部が露出）、検知部４３、通信部４４ａ、無線通信部４４ｂ、電源部４５、表示部４６ａ（少なくとも一部が露出）、音声入力部４６ｂ、音声出力部４６ｃ、撮像部４７、制御部４８、及び記憶部４９を備えて構成されている。なお、このＡＥＤ４０は、例えば公知のＡＥＤ等によって構成することができるので、その詳細な説明は省略する。
【００４７】
ＡＥＤ本体部４１は、ＡＥＤ４０の基本構造体であり、例えば、公知のＡＥＤ４０の本体部分（具体的には、心臓が正常に拍動できなくなった状態となった人に対して電気ショックを与えるための電極パッドや、当該人の健康状態を計測するための各種センサ（例えば心拍センサ、血圧センサ等）等）と同様に構成されている。また、このＡＥＤ本体部４１には、表示部４６ａの光を外部に向けて導光するための導光孔（図示省略）が設けられている。
【００４８】
操作部４２は、ＡＥＤ４０に対する操作入力を受け付ける操作手段であり、例えばスイッチやタッチパネル等の公知の操作手段を用いて構成されている（なお、後述する受信機８０の操作部８１、及び後述する通報装置９０の操作部についても同様とする）。また、この操作部４２は、通信停止ボタン４２ａを備えている。ここで、通信停止ボタン４２ａは、後述する状態情報を含む信号の通信停止の指示を受け付ける通信停止操作手段である。
【００４９】
検知部４３は、ＡＥＤ４０の状態を検知するための検知手段である。ここで、「ＡＥＤ４０の状態」とは、ある時点におけるＡＥＤ４０の有り様を意味し、例えば、ＡＥＤ４０の使用状態、ＡＥＤ４０の故障状態、ＡＥＤ４０の使用が必要とされている使用必要状態とを含む概念である。この検知部４３は、上述した３つのＡＥＤ４０の状態のうち、ＡＥＤ４０の故障状態を検知するものであり、例えば、ＡＥＤ４０の異常（具体的には、電源異常や機能異常等）の有無を検知するための公知の電流センサを用いて構成されている。
【００５０】
通信部４４ａは、受信機８０との間で第１配線２を介して通信を行うための通信手段である。
【００５１】
無線通信部４４ｂは、図示しない無線アンテナを介して後述する中継装置５０の無線通信部５２との相互間で無線にて通信を行うための第２無線通信手段であって、後述する状態情報を含む信号を後述する中継装置５０の無線通信部５２を介して表示装置６０又は音響装置７０に送信する第２無線通信手段である。この無線通信部４４ｂは、例えば、公知の移動体無線通信網を用いて通信を行う公知の通信手段等を用いて構成されている（なお、後述する中継装置５０の無線通信部５２についても同様とする）。なお、このＡＥＤ４０に対しては、ＡＥＤ４０と中継装置５０との相互間で通信可能にするために、これらＡＥＤ４０と中継装置５０との相互間における通信を確立する処理（すなわち、ペアリング処理）が後述する火災報知処理及び後述する使用状態報知処理が行われる前に行われる。
【００５２】
電源部４５は、受信機８０又は電池から供給された電力を、ＡＥＤ４０の各部に供給する電源手段である。
【００５３】
表示部４６ａは、制御部４８の制御に基づいて各種の情報を表示するものであって、画像を表示する画像表示手段である。この表示部４６ａは、例えば、公知のＬＥＤランプや、公知の液晶ディスプレイの如きフラットパネルディスプレイ等を用いて構成されている（なお、後述する受信機８０の表示部８３についても同様とする）。
【００５４】
音声入力部４６ｂは、ＡＥＤ４０の周囲の音声を入力し、当該入力した音声を電気信号（すなわち、音声信号）に変換して制御部４８に出力する音声入力手段であり、公知のマイク等を用いて構成されている（なお、後述する受信機８０の音声入力部８４についても同様とする）。
【００５５】
音声出力部４６ｃは、制御部４８の制御に基づいて各種の情報を音声で出力する音声出力手段であり、例えば公知のスピーカ等を用いて構成されている。
【００５６】
撮像部４７は、ＡＥＤ４０の周囲の画像を撮像する撮像手段であり、例えばＣＭＯＳイメージセンサやＣＣＤイメージセンサ等の公知の撮像素子、及びレンズやプリズム等の公知の光学系部品を用いて構成されている。なお、この撮像部４７は、撮像した画像を電気信号（すなわち、画像信号）に変換し、当該変換した電気信号を制御部４８に出力する。
【００５７】
制御部４８は、ＡＥＤ４０の各部を制御する制御手段であり、機能概念的に、判定部４８ａと、画像処理部４８ｂと、通話処理部４８ｃとを備えている。ここで、判定部４８ａは、ＡＥＤ４０の状態を判定する判定手段である。また、画像処理部４８ｂは、上述した３つのＡＥＤ４０の状態のうち、ＡＥＤ４０の使用必要状態を検知するために、ＡＥＤ４０の撮像部４７にて撮像された画像を処理するための画像処理手段である。また、通話処理部４８ｃは、ＡＥＤ４０のユーザ（使用者）とＡＥＤ４０とは異なる他の装置のユーザ（実施の形態１では、受信機８０の管理者等）との間で、音声によって行われる通話に関する処理を行う通話処理手段である。なお、上述した「検知部４３」と、「判定部４８ａ」と、「画像処理部４８ｂ」とは、特許請求の範囲における「判定手段」に対応する。また、この制御部４８によって実行される処理の詳細については後述する。
【００５８】
記憶部４９は、ＡＥＤ４０の動作に必要なプログラム及び各種のデータを記憶する記憶手段である。
【００５９】
（構成−複合報知装置−中継装置）
次に、中継装置５０の構成について説明する。中継装置５０は、ＡＥＤ４０から無線送信された信号を受信機８０を介して表示装置６０又は音響装置７０に中継する装置である。この中継装置５０は、通信部５１、無線通信部５２、及び制御部５３を備えて構成されている。
【００６０】
通信部５１は、受信機８０との間で第２配線３を介して通信を行うための通信手段である。
【００６１】
無線通信部５２は、図示しない無線アンテナを介してＡＥＤ４０の無線通信部４４ｂとの相互間で無線にて通信を行う第１無線通信手段である。
【００６２】
制御部５３は、中継装置５０の各部を制御する制御手段である。なお、この制御部５３によって実行される処理の詳細については後述する。
【００６３】
（構成−複合報知装置−表示装置）
次に、表示装置６０の構成について説明する。表示装置６０は、後述する火災情報を表示する火災情報出力装置である。この表示装置６０は、表示灯６１、通信部６２、及び制御部６３を備えて構成されている。
【００６４】
表示灯６１は、後述する火災情報を表示する出力手段及び表示手段であり、例えば公知のＬＥＤランプ、蛍光ランプ等を用いて構成される。
【００６５】
通信部６２は、受信機８０との間で第２配線３を介して通信を行うための通信手段である。
【００６６】
制御部６３は、表示装置６０の各部を制御する制御手段である。なお、この制御部６３によって実行される処理の詳細については後述する。
【００６７】
（構成−複合報知装置−音響装置）
次に、音響装置７０の構成について説明する。音響装置７０は、後述する火災情報を警報音で出力する火災情報出力装置である。この音響装置７０は、非常ベル７１、通信部７２、及び制御部７３を備えて構成されている。
【００６８】
非常ベル７１は、後述する火災情報をベル音（すなわち、警報音）で出力する出力手段及び警報音出力手段であり、例えば、公知のベル等を用いて構成されている。
【００６９】
通信部７２は、受信機８０との間で第３配線４を介して通信を行うための通信手段である。
【００７０】
制御部７３は、音響装置７０の各部を制御する制御手段である。なお、この制御部７３によって実行される処理の詳細については後述する。
【００７１】
（構成−受信機）
次に、受信機８０の構成について説明する。図４は、受信機８０の電気的構成を示したブロック図である。受信機８０は、感知器１０、発信機３０、中継装置５０、表示装置６０、音響装置７０、又は通報装置９０から受信された信号に基づいて所定処理を行うものである。図４に示すように、この受信機８０は、操作部８１、通信部８２、表示部８３、音声入力部８４、音声出力部８５、電力供給部８６、制御部８７、及び記憶部８８を備えて構成されている。なお、この受信機８０は、例えば公知の受信機等によって構成することができるので、その詳細な説明は省略する。
【００７２】
操作部８１は、受信機８０に対する操作入力を受け付ける操作手段である。
【００７３】
通信部８２は、感知器１０、発信機３０、ＡＥＤ４０、中継装置５０、表示装置６０、音響装置７０、又は通報装置９０との間で第１配線２、第２配線３、第３配線４のいずれか１つを介して通信を行うための通信手段である。
【００７４】
表示部８３は、制御部８７の制御に基づいて各種の情報を表示するものである。
【００７５】
音声入力部８４は、受信機８０の周囲の音声を入力し、当該入力した音声を電気信号に変換して制御部８７に出力するものである。
【００７６】
音声出力部８５は、制御部８７の制御に基づいて各種の情報を音声で出力するものであり、例えばスピーカやブザー等の公知の音響機器を用いて構成されている。
【００７７】
電力供給部８６は、第１配線２、第２配線３、第３配線４のいずれか１つを介して商用電源から供給された電力を受信機８０の各部、感知器１０、発信機３０、ＡＥＤ４０、中継装置５０、表示装置６０、音響装置７０、及び通報装置９０に供給するための電力供給手段である。
【００７８】
制御部８７は、受信機８０の各部を制御する制御手段であり、機能概念的に、通話処理部８７ａを備えている。ここで、通話処理部８７ａは、受信機８０の管理者等とＡＥＤ４０のユーザ（使用者）との間で、音声によって行われる通話に関する処理を行う通話処理手段である。
【００７９】
記憶部８８は、受信機８０の動作に必要なプログラム及び各種のデータを記憶する記憶手段である。
【００８０】
（構成−通報装置）
次に、通報装置９０の構成について説明する。通報装置９０は、受信機８０から受信された場合に、所定信号（例えば、後述する火災情報又は後述する使用状態情報に関連する音声情報を含む信号等）を電話回線（図示省略）を介して外部装置（例えば、センタ装置や携帯電話等）に通報するためのものである。この通報装置９０は、操作部、通信部、制御部、及び記憶部を備えて構成されている（いずれも図示省略）。なお、この通報装置９０は、例えば公知の通報装置等によって構成することができるので、その詳細な説明は省略する。
【００８１】
操作部は、通報装置９０に対する操作入力を受け付ける操作手段である。通信部は、火災報知システム１の外部に設置された外部装置の間で通信を行うための通信手段である。制御部は、通報装置９０の各部を制御する制御手段である。記憶部は、通報装置９０の動作に必要なプログラム及び各種のデータを記憶する記憶手段である。
【００８２】
（処理）
次に、このように構成された火災報知システム１によって実行される処理について説明する。この火災報知システム１によって実行される処理は、火災報知処理と、使用状態報知処理と、故障状態報知処理と、使用必要状態報知処理とに大別される。以下、火災報知処理と、使用状態報知処理と、故障状態報知処理と、使用必要状態報知処理とのそれぞれについて説明する。
【００８３】
（処理−火災報知処理）
まず、火災報知処理について説明する。図５は、感知器１０又は発信機３０に関する火災報知処理のフローチャートである（以下の各処理の説明ではステップを「Ｓ」と略記する）。図６は、表示装置６０又は音響装置７０に関する火災報知処理のフローチャートである。火災報知処理は、火災の報知を行う処理である。この火災報知処理においては、概略的には、後述する火災情報を表示装置６０の表示灯６１又は音響装置７０の非常ベル７１に出力させる処理が行われる。また、この火災報知処理を実行するタイミングは任意であるが、実施の形態１においては、感知器１０、発信機３０、表示装置６０、音響装置７０、及び受信機８０に電源が投入された後に起動されるものとして説明する。また、この火災報知処理の前提としては、以下に示す通りとなる（なお、使用状態報知処理の前提、故障状態報知処理の前提、及び使用必要状態報知処理の前提についても同様とする）。具体的には、通常時において発信機３０の位置を案内するために、表示装置６０の表示灯６１が点灯表示されているので、この表示灯６１が点灯表示されているものとする。また、通常時において発信機３０の確認表示灯や音響装置７０の非常ベル７１は出力停止されているので、これら確認表示灯及び非常ベル７１が出力停止されているものとする。
【００８４】
火災報知処理が起動されると、図５に示すように、ＳＡ１において、建物に設置された各感知器１０（以下、「各感知器１０」と称する）の制御部は、センサ部の検知結果に基づいて火災が検知された否かを判定する。また、建物に設置された各発信機３０（以下、「各発信機３０」と称する）の制御部は、非常ボタン３１ａを介して火災信号の送信指示が受け付けられたか否かを判定する。ここで、感知器１０の判定については、例えば、建物で火災が発生した場合に、センサ部にて検知された温度（又は煙濃度）が閾値を上回ると、火災が検知されたと判定する。また、発信機３０の判定については、例えば、建物で火災が発生した場合に、建物にいる人（例えば、住居者や訪問者等）によって非常ボタン３１ａが押圧されると、上記火災信号の送信指示が受け付けられたと判定する。各感知器１０の制御部は、火災が検知されたと判定されるまで待機し、また各発信機３０の制御部は、非常ボタン３１ａを介して火災信号の送信指示が受け付けられたと判定されるまで待機し（ＳＡ１、Ｎｏ）、そして、各感知器１０の制御部が火災が検知されたと判定したり、各発信機３０の制御部が非常ボタン３１ａの操作により火災信号の送信指示が受け付けられたと判定すると（ＳＡ１、Ｙｅｓ）、ＳＡ２に移行する。
【００８５】
ＳＡ２において、ＳＡ１にて火災が検知されたと判定された感知器１０の制御部は、火災を報知する火災信号を通信部及び第１配線２、受信機８０、及び第２配線３（又は第３配線４）を介して建物に設置された各表示装置６０及び各音響装置７０（以下、「各表示装置６０」、「各音響装置７０」と称する）に送信する。また、ＳＡ１にて非常ボタン３１ａを介して火災信号の送信指示が受け付けられたと判定された発信機３０の制御部は、火災信号を通信部及び第１配線２、受信機８０、及び第２配線３（又は第３配線４）を介して各表示装置６０及び各音響装置７０に送信すると共に、非常ボタン３１ａが押された旨を報知するために、確認表示灯を点灯表示させる。
【００８６】
次に、図６に示すように、ＳＢ１において各表示装置６０の制御部６３（又は各音響装置７０の制御部７３）は、ＳＡ１にて火災が検知されたと判定された感知器１０（又は、ＳＡ１にて非常ボタン３１ａを介して火災信号の送信指示が受け付けられたと判定された発信機３０）から送信された火災信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、火災信号が受信されるまで待機し（ＳＢ１、Ｎｏ）、火災信号が受信された場合に（ＳＢ１、Ｙｅｓ）、ＳＢ２に移行する。
【００８７】
ＳＢ２において各表示装置６０の制御部６３（又は各音響装置７０の制御部７３）は、建物にいる人に対して火災を報知するために、表示灯６１（又は非常ベル７１）によって火災情報を出力させる。ここで、「火災情報」とは、火災の報知を示す情報である。また、この火災情報の出力については任意であるが、実施の形態１においては、表示灯６１が通常時の表示と同様に点灯表示すると共に、非常ベル７１が「ジリジリ」というベル音を連続的に出力する。
【００８８】
図５に戻り、ＳＡ３において、ＳＡ２にて火災信号が送信された感知器１０の制御部は、センサ部の検知結果に基づいて火災が検知されなくなったか否かを判定する。また、ＳＡ２にて火災信号が送信された発信機３０の制御部は、非常ボタン３１ａが火災信号の送信指示を受け付ける前の状態に復旧されたか否かを判定する。ここで、感知器１０の判定については、例えば、建物で発生した火災が消火された後に、当該建物内の温度（又は煙濃度）が閾値を下回ると、火災が検知されなくなったと判定する。また、発信機３０の判定については、例えば、建物で発生した火災が消火された後に、建物にいる人又は受信機８０の管理者によって復旧ボタン３１ｂが押圧されると、非常ボタン３１ａが火災信号の送信指示を受け付ける前の状態に復旧されたと判定する。そして、この感知器１０の制御部は、火災が検知されなくなったと判定されるまで待機すると共に、この発信機３０の制御部は、非常ボタン３１ａが火災信号の送信指示を受け付ける前の状態に復旧されたと判定されるまで待機し（ＳＡ３、Ｎｏ）、火災が検知されなくなったと判定されたり、非常ボタン３１ａが火災信号の送信指示を受け付ける前の状態に復旧されたと判定されると（ＳＡ３、Ｙｅｓ）、ＳＡ４に移行する。
【００８９】
ＳＡ４において、ＳＡ３にて火災が検知されなくなったと判定された感知器１０の制御部は、火災が消火されたことを報知する火災復旧信号を通信部及び第１配線２、受信機８０、及び第２配線３（又は第３配線４）を介して各表示装置６０及び各音響装置７０に送信する。また、ＳＡ３にて非常ボタン３１ａが火災信号の送信指示を受け付ける前の状態に復旧されたと判定された発信機３０の制御部は、火災復旧信号を通信部及び第１配線２、受信機８０、及び第２配線３（又は第３配線４）を介して各表示装置６０及び各音響装置７０に送信すると共に、確認表示灯の出力状態を、発信機３０が火災信号の送信指示を受け付ける前の状態に戻すために、所定時間（例えば、６０ｍｉｎ等）経過後に確認表示灯の点灯表示を停止させる。その後、この感知器１０の制御部（又は、この発信機３０の制御部）は、ＳＡ１に移行し、以降同様に、ＳＡ１からＳＡ４の処理を行う。
【００９０】
次に、図６に示すように、ＳＢ３において各表示装置６０の制御部６３（又は各音響装置７０の制御部７３）は、ＳＡ３にて火災が検知されなくなったと判定された感知器１０（又はＳＡ３にて非常ボタン３１ａが復旧されたと判定された発信機３０）から送信された火災復旧信号を第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、火災復旧信号が受信されるまで待機し（ＳＢ３、Ｎｏ）、火災復旧信号が受信された場合に（ＳＢ３、Ｙｅｓ）、ＳＢ４に移行する。
【００９１】
ＳＢ４において各表示装置６０の制御部６３（又は各音響装置７０の制御部７３）は、表示灯６１（又は非常ベル７１）によって、火災情報の出力を停止させる。ここで、火災情報の出力の停止については任意であるが、実施の形態１においては、表示灯６１が通常時の表示（すなわち、点灯表示）を行いながら、非常ベル７１が出力停止する。また、各表示装置６０及び各音響装置７０が、複数の感知器１０や発信機３０から火災信号を受信した場合において、当該複数の感知器１０や発信機３０の一部のみから火災復旧信号を受信した場合には、各表示装置６０の表示灯６１及び各音響装置７０の非常ベル７１による火災情報の出力を継続し、当該複数の感知器１０や発信機３０の全部から火災復旧信号を受信した場合には、各表示装置６０の表示灯６１及び各音響装置７０の非常ベル７１による火災情報の出力を停止する。その後、各表示装置６０の制御部６３（又は各音響装置７０の制御部７３）は、ＳＢ１に移行し、以降同様に、ＳＢ１からＳＢ４の処理を行う。
【００９２】
（処理−使用状態報知処理）
次に、使用状態報知処理について説明する。図７は、ＡＥＤ４０に関する使用状態報知処理のフローチャートである。図８は、表示装置６０又は音響装置７０に関する使用状態報知処理のフローチャートである。使用状態報知処理は、ＡＥＤ４０の使用状態を報知する処理である。この使用状態報知処理においては、概略的には、後述する使用状態情報を表示装置６０の表示灯６１又は音響装置７０の非常ベル７１に出力させる処理が行われる。また、この使用状態報知処理を実行するタイミングは任意であるが、実施の形態１においては、ＡＥＤ４０の一部（具体的には、無線通信部４４ｂ及び制御部４８等）、中継装置５０、表示装置６０、音響装置７０、及び受信機８０に電源が投入された後に起動され、上述した火災報知処理と並行して実行されるものとして説明する。
【００９３】
使用状態報知処理が起動されると、図７、図８に示すように、建物にいる人のうち、ＡＥＤ４０の使用者以外の第三者に対して、後述する使用状態情報が表示装置６０の表示灯６１又は音響装置７０の非常ベル７１によって提示することができると共に、後述する使用状態情報の誤報を防止できるように、建物に設置された各ＡＥＤ４０（以下、「各ＡＥＤ４０」と称する）の制御部４８は、ＳＣ１からＳＣ３を行うと共に、各表示装置６０の制御部６３（又は各音響装置７０の制御部７３）は、ＳＤ１及びＳＤ２の処理を行う。
【００９４】
まず、図７に示すように、ＳＣ１において各ＡＥＤ４０の判定部４８ａは、当該ＡＥＤ４０が使用状態であるか否かを判定する。このＡＥＤ４０が使用状態であるか否かの判定については任意であるが、実施の形態１においては、ＡＥＤ４０（特に、ＡＥＤ本体部４１）を起動させるための起動指示が操作部４２を介して受け付けられたか否かに基づいて判定する。ここで、各ＡＥＤ４０の判定部４８ａは、この起動指示が受け付けられた場合に、当該ＡＥＤ４０が使用状態であると判定し、起動指示が受け付けられていない場合に、当該ＡＥＤ４０が使用状態でないと判定する。そして、各ＡＥＤ４０の判定部４８ａは、当該ＡＥＤ４０が使用状態でないと判定された場合（ＳＣ１、Ｎｏ）、当該ＡＥＤ４０が使用状態であると判定されるまで、ＳＣ１の処理を繰り返し、当該ＡＥＤ４０が使用状態であると判定された場合（ＳＣ１、Ｙｅｓ）、ＳＣ２に移行する。
【００９５】
ＳＣ２において、ＳＣ１にて使用状態であると判定されたＡＥＤ４０の制御部４８は、通信停止ボタン４２ａを介して後述する使用状態信号の通信停止指示が受け付けられたか否かを判定する。例えば、ＳＣ１の処理を行う直前、又はＳＣ１にてＡＥＤ４０が使用状態であると判定されてから所定時間内（例えば、１０ｓｅｃ以内等）に、この通信停止ボタン４２ａが操作されたか否かを判定し、ＳＣ１の処理直前又は所定時間内に通信停止ボタン４２ａが操作された場合には、後述する使用状態信号の通信停止指示が受け付けられたと判定し、ＳＣ１の処理直前又は所定時間内に通信停止ボタン４２ａが操作されなかった場合には、後述する使用状態信号の通信停止指示が受け付けられなかったと判定する。そして、このＡＥＤ４０の制御部４８は、後述する使用状態信号の通信停止指示が受け付けられなかったと判定された場合（ＳＣ２、Ｎｏ）、ＳＣ３に移行する。一方、後述する使用状態信号の通信停止指示が受け付けられたと判定された場合（ＳＣ２、Ｙｅｓ）、表示装置６０の表示灯６１又は音響装置７０の非常ベル７１による後述する使用状態情報の出力を回避するために、ＳＣ１に移行することで、表示灯６１又は非常ベル７１による後述する使用状態信号の通信を停止させる。このような処理により、例えば、受信機８０の管理者等がＡＥＤ４０の点検を行う場合に、後述する使用状態情報が表示装置６０の表示灯６１（又は音響装置７０の非常ベル７１）によって出力されることを回避できるため、ＡＥＤ４０が使用されていないにも関わらず、後述する使用状態情報が誤って出力されることを防止できる。ここで、「点検」とは、ＡＥＤ４０の異常の有無を検査することを意味する。
【００９６】
ＳＣ３において、ＳＣ１にて使用状態であると判定されたＡＥＤ４０の制御部４８は、使用状態信号を生成し、当該生成した使用状態信号を無線通信部４４ｂ、中継装置５０、第１配線２、受信機８０、第２配線３（又は第３配線４）を介して各表示装置６０及び各音響装置７０に送信する。ここで、「使用状態信号」とは、ＡＥＤ４０が使用状態である旨を示す状態情報（以下、「使用状態情報」と称す）を含む信号であり、所定のフォーマットで生成される。また、この使用状態信号の送信については、具体的には、まず、ＡＥＤ４０の制御部４８が、使用状態信号を無線通信部４４ｂを介して中継装置５０に送信する。次に、中継装置５０の制御部５３が、ＡＥＤ４０から送信された使用状態信号を無線通信部５２を介して受信し、当該受信した使用状態信号を通信部５１及び第１配線２を介して受信機８０に送信する。次いで、受信機８０の制御部８７が、中継装置５０から送信された使用状態信号を通信部８２を介して受信し、当該受信した使用状態信号を通信部８２及び第２配線３（又は第３配線４）を介して各表示装置６０及び各音響装置７０に送信する（なお、後述するＳＣ５の不使用状態信号の送信についても同様とする）。
【００９７】
なお、ＳＣ３の処理を行う直前又は直後において、ＳＣ１にて使用状態であると判定されたＡＥＤ４０の使用者と受信機８０の管理者等との対話によって、このＡＥＤ４０の使用者が受信機８０の管理者等からＡＥＤ４０の使用についてのアドバイス等を受けることができるように、以下に示す処理が行われてもよい。例えば、このＡＥＤ４０の操作部４２を介して所定操作が受け付けられた場合に、このＡＥＤ４０の通話処理部４８ｃは、このＡＥＤ４０の使用者と受信機８０の管理者等との間で、音声によって行われる通話に関する処理を行う。具体的には、このＡＥＤ４０の通話処理部４８ｃは、音声入力部４６ｂを介して入力された音声を含む音声信号や撮像部４７にて撮像された画像を含む画像信号を無線通信部４４ｂ、中継装置５０、及び第１配線２を介して受信機８０に送信する。この場合において、受信機８０の通話処理部８７ａは、ＡＥＤ４０から中継装置５０、第１配線２、及び通信部８２を介して受信した音声信号に含まれる音声を音声出力部４６ｃにより音声出力させたり、ＡＥＤ４０から中継装置５０、第１配線２、及び通信部８２を介して受信した画像信号に含まれる画像を表示部８３により表示させる。また、このＡＥＤ４０の通話処理部４８ｃは、受信機８０から送信された音声信号であって、受信機８０の音声入力部８４を介して入力された音声を含む音声信号やＡＥＤ４０の使用方法、救命方法等に関する画像を含む画像信号を第１配線２、中継装置５０、及び無線通信部４４ｂを介して受信した場合に、当該受信した音声信号に含まれる音声を音声出力部４６ｃにより音声出力させたり、当該受信した画像信号に含まれる画像を表示部４６ａにより表示させる。このような処理により、ＡＥＤ４０の使用者と受信機８０の管理者等との対話を通じて、ＡＥＤ４０の使用者が受信機８０の管理者等からＡＥＤ４０の使用についてのアドバイス等を受けることができる。また、ＡＥＤ４０の使用者と受信機８０の管理者等との相互間で画像のやりとりを行うことができる。よって、例えば、受信機８０の管理者等が、ＡＥＤ４０から受信した画像に基づいて、ＡＥＤ４０の周囲の状況等を正確に把握することが可能となる。また、ＡＥＤ４０の使用者が、受信機８０から受信した画像に基づいて、ＡＥＤ４０の使用についてのアドバイス等を正確に把握することが可能となる。
【００９８】
次に、図８に示すように、ＳＤ１において各表示装置６０の制御部６３（又は各音響装置７０の制御部７３）は、ＳＣ１にて使用状態であると判定されたＡＥＤ４０から送信された使用状態信号を中継装置５０、第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、使用状態信号が受信されるまで待機し（ＳＤ１、Ｎｏ）、使用状態信号が受信された場合に（ＳＤ１、Ｙｅｓ）、ＳＤ２に移行する。
【００９９】
ＳＤ２において各表示装置６０の制御部６３（又は各音響装置７０の制御部７３）は、表示灯６１（又は非常ベル７１）によって、ＳＤ１にて受信された使用状態信号に含まれる使用状態情報を出力させる。この使用状態情報の出力については任意であるが、例えば、使用状態情報を火災情報と識別可能に出力できるように、表示灯６１が火災情報の表示とは異なる時間間隔又は表示色等で表示したり、非常ベル７１が火災情報の出力とは異なる時間間隔又は音色等で出力することで、使用状態情報を火災情報とは異なる態様で出力する。この実施の形態１においては、表示灯６１による火災情報の表示が点灯表示である場合に、表示灯６１による使用状態情報の表示として、所定の時間間隔（例えば、３ｓｅｃ間隔等）で点滅表示する。また、非常ベル７１による火災情報の出力が「ジリジリ」というベル音を連続的に出力する場合に、非常ベル７１による使用状態情報の出力として、「ジリジリ」というベル音を所定の時間間隔（例えば、３ｓｅｃ間隔等）で断続的に出力する。
【０１００】
以上のような処理により、ＡＥＤ４０が無線通信部５２から離れた場所で使用された場合でも、当該ＡＥＤ４０から送信された状態情報を含む信号を無線通信部５２を介して表示装置６０又は音響装置７０が受信でき、建物にいる人に対して状態情報を提示することが可能となる。これにより、建物にいる人が、ＡＥＤ４０の状態を把握でき、従来技術に比べてＡＥＤ４０の状態に応じた必要な措置を迅速に取ることが可能となる。特に、使用状態報知処理においては、建物にいる人に対して使用状態情報を提示することができる。これにより、建物にいる人が、ＡＥＤ４０が使用状態であることを把握できることから、心臓が正常に拍動できなくなった状態となった人に対して救命活動を行うために、ＡＥＤ４０が使用されている場合に、このＡＥＤ４０の使用者が、当該使用者以外の第三者からの救命活動のサポートを迅速に受けやすくなる。また、表示装置６０の表示灯６１又は音響装置７０の非常ベル７１によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。また、建物にいる人に対して状態情報を表示装置６０の表示灯６１に表示して提示でき、建物にいる人に対して使用状態情報を容易且つ確実に伝えることが可能となる。また、建物にいる人に対して状態情報を音響装置７０の非常ベル７１に出力して聴覚を通じて提示できる。よって、建物にいる人が、表示装置６０の表示灯６１を視認することができない位置にいる場合、又は、表示装置６０の表示灯６１を視認することができるものの、表示灯６１に表示される情報を視認することが難しい場合であっても、状態情報を迅速に伝えることが可能となる。
【０１０１】
なお、上述したように、この使用状態報知処理は、火災報知処理と並行して実行されることから、例えば、火災報知処理のＳＢ２が実行されている場合において、ＳＤ１にて使用状態信号が受信された場合に、ＳＤ２が実行される。すなわち、火災情報の出力と使用状態情報の出力とが重複することが想定される。このような場合には、例えば、建物にいる人に対して火災情報及び使用状態情報の両方を提示できるように、各表示装置６０の制御部６３が、表示灯６１によって、火災情報と使用状態情報とを所定時間毎（例えば、２０ｓｅｃ毎等）に交互に表示させると共に、各音響装置７０の制御部７３が、非常ベル７１によって、火災情報と使用状態情報とを所定時間毎に交互に出力させてもよい（なお、後述する故障状態報知処理の故障状態情報の出力、及び後述する使用必要状態報知処理の使用状態情報の出力についても同様とする）。あるいは、火災報知の確実性や信頼性の観点から、火災情報の出力を優先させるために、火災報知処理のＳＢ３にて火災復旧信号が受信されるまで、各表示装置６０の制御部６３が、表示灯６１によって、火災情報のみを表示させると共に、各音響装置７０の制御部７３が、非常ベル７１によって、火災情報のみを出力させてもよい（なお、後述する故障状態報知処理の故障状態情報の出力、及び後述する使用必要状態報知処理の使用状態情報の出力についても同様とする）。
【０１０２】
次に、図７、図８に示すように、各表示装置６０又は各音響装置７０の出力状態を、ＡＥＤ４０が使用される前の状態に戻すために、ＳＣ３にて使用状態信号が送信されたＡＥＤ４０の制御部４８は、ＳＣ４及びＳＣ５の処理を行うと共に、各表示装置６０の制御部６３（又は各音響装置７０の制御部７３）は、ＳＤ３及びＳＤ４の処理を行う。
【０１０３】
まず、図７に示すように、ＳＣ４において、ＳＣ３にて使用状態信号が送信されたＡＥＤ４０の判定部４８ａは、このＡＥＤ４０が不使用状態であるか否かを判定する。ここで、このＡＥＤ４０が不使用状態であるか否かの判定については任意であるが、実施の形態１においては、ＳＣ１にてこのＡＥＤ４０が使用状態であると判定されてから所定時間（例えば、６０ｍｉｎ等）を超えたか否か、及び、ＳＣ１にてこのＡＥＤ４０が使用状態であると判定されてから、このＡＥＤ４０（特に、ＡＥＤ本体部４１）の駆動を停止させるための停止指示が操作部４２を介して受け付けられたか否かに基づいて判定する。このように所定時間の経過を考慮した判定を行う理由としては、単に停止指示が受け付けられたか否かのみに基づいて、このＡＥＤ４０が不使用状態であるか否かが判定されると、このＡＥＤ４０の駆動を一旦停止した後にこのＡＥＤ４０を再び駆動させた場合でも、このＡＥＤ４０が不使用状態であると判定されるので、このような事態を回避するためである。具体的には、このＡＥＤ４０の判定部４８ａは、ＳＣ１にてこのＡＥＤ４０が使用状態であると判定されてから所定時間を超え、且つ、ＳＣ１にてこのＡＥＤ４０が使用状態であると判定されてから、停止指示が受け付けられた場合に、このＡＥＤ４０が不使用状態であると判定する。一方、ＳＣ１にてこのＡＥＤ４０が使用状態であると判定されてから所定時間を超えておらず、又は、ＳＣ１にてこのＡＥＤ４０が使用状態であると判定されてから、停止指示が受け付けられていない場合に、このＡＥＤ４０が不使用状態でないと判定する。そして、このＡＥＤ４０の判定部４８ａは、このＡＥＤ４０が不使用状態でないと判定された場合（ＳＣ４、Ｎｏ）、このＡＥＤ４０が不使用状態であると判定されるまでＳＣ４の処理を繰り返し、このＡＥＤ４０が不使用状態であると判定された場合（ＳＣ４、Ｙｅｓ）、ＳＣ５に移行する。
【０１０４】
ＳＣ５において、ＳＣ４にて不使用状態であると判定されたＡＥＤ４０の制御部４８は、不使用状態信号を生成し、当該生成した不使用状態信号を無線通信部４４ｂ、中継装置５０、第１配線２、受信機８０、第２配線３（又は第３配線４）を介して各表示装置６０及び各音響装置７０に送信する。ここで、「不使用状態信号」とは、ＡＥＤ４０が不使用状態である旨を示す不使用状態情報を含む信号であり、所定のフォーマットで生成される。その後、このＡＥＤ４０の制御部４８は、ＳＣ１に移行し、以降同様に、ＳＣ１からＳＣ５の処理を行う。
【０１０５】
次に、図８に示すように、ＳＤ３において各表示装置６０の制御部６３（又は各音響装置７０の制御部７３）は、ＳＣ４にて不使用状態であると判定されたＡＥＤ４０から送信された不使用状態信号を中継装置５０、第１配線２、受信機８０、第２配線３（又は第３配線４）、及び通信部６２（又は通信部７２）を介して受信したか否かを判定する。そして、各表示装置６０の制御部６３（又は各音響装置７０の制御部７３）は、不使用状態信号が受信されるまで待機し（ＳＤ３、Ｎｏ）、不使用状態信号が受信された場合に（ＳＤ３、Ｙｅｓ）、ＳＤ４に移行する。
【０１０６】
ＳＤ４において各表示装置６０の制御部６３（又は各音響装置７０の制御部７３）は、表示灯６１（又は非常ベル７１）によって、使用状態情報の出力を停止させる。ここで、使用状態情報の出力の停止については任意であるが、実施の形態１においては、表示灯６１が通常時の表示（すなわち、点灯表示）を行いながら、非常ベル７１が出力停止する（なお、後述する故障状態報知処理における故障状態情報の出力の停止、後述する使用必要状態報知処理における使用必要状態情報の出力の停止についても同様とする）。また、各表示装置６０及び各音響装置７０が、複数のＡＥＤ４０から使用状態信号を受信した場合において、当該複数のＡＥＤ４０の一部のみから不使用状態信号を受信した場合には、各表示装置６０の表示灯６１及び各音響装置７０の非常ベル７１による使用状態情報の出力を継続し、当該複数のＡＥＤ４０の全部から不使用状態信号を受信した場合には、各表示装置６０の表示灯６１及び各音響装置７０の非常ベル７１による使用状態情報の出力を停止する。その後、各表示装置６０の制御部６３（又は各音響装置７０の制御部７３）は、ＳＤ１に移行し、以降同様に、ＳＤ１からＳＤ４の処理を行う。
【０１０７】
（処理−故障状態報知処理）
次に、故障状態報知処理について説明する。図９は、ＡＥＤ４０に関する故障状態報知処理のフローチャートである。図１０は、表示装置６０又は音響装置７０に関する故障状態報知処理のフローチャートである。故障状態報知処理は、ＡＥＤ４０が故障状態であることを報知する処理である。また、この故障状態報知処理を実行するタイミングは任意であるが、実施の形態１では、ＡＥＤ４０の一部（具体的には、検知部４３、無線通信部４４ｂ、及び制御部４８）、中継装置５０、表示装置６０、及び音響装置７０に電源が投入された後に起動され、上述した火災報知処理、及び使用状態報知処理と並行して実行されるものとして説明する。
【０１０８】
故障状態報知処理が起動されると、図９、図１０に示すように、建物にいる人に対して、後述する故障状態情報が表示装置６０の表示灯６１又は音響装置７０の非常ベル７１によって提示することができるように、各ＡＥＤ４０の制御部４８は、ＳＥ１及びＳＥ２を行うと共に、各表示装置６０の制御部６３（又は各音響装置７０の制御部７３）は、ＳＦ１及びＳＦ２の処理を行う。
【０１０９】
まず、図９に示すように、ＳＥ１において各ＡＥＤ４０の判定部４８ａは、当該ＡＥＤ４０が故障状態であるか否かを判定する。このＡＥＤ４０が故障状態であるか否かの判定については任意であるが、実施の形態１においては、検知部４３の検知結果（例えば、検知部４３にて検知された電流値であって、ＡＥＤ４０を構成する各構成要素の電流値等）に基づいて、ＡＥＤ４０に異常（例えば、電源異常や機能異常等）が生じているか否かに基づいて判定する。ここで、各ＡＥＤ４０の判定部４８ａは、検知部４３による検知結果の一部が基準値を満たしていないことで、当該ＡＥＤ４０に異常が生じている場合に、当該ＡＥＤ４０が故障状態であると判定する。一方、検知部４３による検知結果の全部が基準値を満たすことで、当該ＡＥＤ４０に異常が生じていない場合に、当該ＡＥＤ４０が故障状態でないと判定する。そして、各ＡＥＤ４０の判定部４８ａは、当該ＡＥＤ４０が故障状態でないと判定された場合（ＳＥ１、Ｎｏ）、当該ＡＥＤ４０が故障状態であると判定されるまで、ＳＥ１の処理を繰り返し、当該ＡＥＤ４０が故障状態であると判定された場合（ＳＥ１、Ｙｅｓ）、ＳＥ２に移行する。
【０１１０】
ＳＥ２において、ＳＥ１にて故障状態であると判定されたＡＥＤ４０の制御部４８は、故障状態信号を生成し、当該生成した故障状態信号を無線通信部４４ｂ、中継装置５０、及び第４配線５を介して、当該ＡＥＤ４０が収容された筐体２１に収容されている表示装置６０及び音響装置７０に送信する。ここで、「故障状態信号」とは、ＡＥＤ４０が故障状態である旨を示す状態情報（以下、「故障状態情報」と称す）を含む信号であり、所定のフォーマットで生成される。また、この故障状態信号の送信については、具体的には、まず、このＡＥＤ４０の制御部４８が、故障状態信号を無線通信部４４ｂを介して中継装置５０に送信する。次いで、中継装置５０の制御部５３が、ＡＥＤ４０から故障状態信号を無線通信部５２を介して受信し、当該受信した故障状態信号を通信部５１及び第４配線５を介して当該ＡＥＤ４０が収容された筐体２１に収容されている表示装置６０及び音響装置７０に送信する（なお、後述する故障状態復旧信号の送信、後述する使用必要状態信号の送信、及び後述する使用不要状態信号の送信についても同様とする）。
【０１１１】
次に、図１０に示すように、ＳＦ１において各表示装置６０の制御部６３（又は各音響装置７０の制御部７３）は、ＳＥ１にて故障状態であると判定されたＡＥＤ４０から送信された故障状態信号を中継装置５０、第４配線５、及び通信部６２（又は通信部７２）を介して受信したか否かを判定する。そして、各表示装置６０の制御部６３（又は各音響装置７０の制御部７３）は、上記故障状態信号が受信されるまで待機し（ＳＦ１、Ｎｏ）、上記故障状態信号が受信された場合に（ＳＦ１、Ｙｅｓ）、ＳＦ２に移行する。
【０１１２】
ＳＦ２において、ＳＦ１にて故障状態信号が受信された表示装置６０の制御部６３（又は音響装置７０の制御部７３）は、表示灯６１（又は非常ベル７１）によって、上記故障状態信号に含まれる故障状態情報を出力させる。この故障状態情報の出力については任意であるが、実施の形態１においては、表示灯６１による火災情報の表示が点灯表示であり、表示灯６１による使用状態情報の表示が３ｓｅｃ間隔で点滅表示である場合に、表示灯６１による故障状態情報の表示として、１０ｓｅｃ間隔で点滅表示する。また、非常ベル７１による火災情報の出力が「ジリジリ」というベル音を連続的に出力し、非常ベル７１による使用状態情報の出力が「ジリジリ」というベル音を３ｓｅｃ間隔で断続的に出力する場合に、非常ベル７１による故障状態情報の出力として、「ジリジリ」というベル音を１０ｓｅｃ間隔で断続的に出力する。
【０１１３】
以上のような処理により、建物にいる人に対して、故障状態情報を提示することができる。これにより、建物にいる人が、ＡＥＤ４０が故障状態であることを把握でき、ＡＥＤ４０の点検や修理等を迅速に行うことが可能となる。
【０１１４】
次に、図９、図１０に示すように、ＳＦ２において故障状態情報が出力された表示装置６０又は音響装置７０の出力状態を、ＡＥＤ４０に異常が生じる前の状態に戻すために、ＳＥ２にて故障状態信号が送信されたＡＥＤ４０の制御部４８は、ＳＥ３及びＳＥ４の処理を行うと共に、ＳＦ２において故障状態情報が出力された表示装置６０又は音響装置７０は、ＳＦ３及びＳＦ４の処理を行う。
【０１１５】
まず、図９に示すように、ＳＥ３において、ＳＥ２にて故障状態信号が送信されたＡＥＤ４０の判定部４８ａは、当該ＡＥＤ４０が故障状態から正常状態に復旧したか否かに基づいて判定する。このＡＥＤ４０が復旧したか否かの判定については任意であるが、実施の形態１においては、検知部４３の検知結果に基づいて、ＡＥＤ４０に異常が生じているか否かに基づいて判定する。ここで、このＡＥＤ４０の判定部４８ａは、検知部４３による検知結果の一部が基準値を満たしていないことで、当該ＡＥＤ４０に異常が生じている場合に、当該ＡＥＤ４０が復旧していないと判定する。一方、検知部４３による検知結果の全部が基準値を満たすことで、当該ＡＥＤ４０に異常が生じていない場合に、当該ＡＥＤ４０が復旧したと判定する。そして、このＡＥＤ４０の判定部４８ａは、当該ＡＥＤ４０が復旧していないと判定された場合（ＳＥ３、Ｎｏ）、当該ＡＥＤ４０が復旧したと判定されるまで、ＳＥ３の処理を繰り返し、当該ＡＥＤ４０が復旧したと判定された場合（ＳＥ３、Ｙｅｓ）、ＳＥ４に移行する。
【０１１６】
ＳＥ４において、ＳＥ３にてＡＥＤ４０が復旧したと判定されたＡＥＤ４０の制御部４８は、故障復旧信号を生成し、当該生成した故障復旧信号を無線通信部４４ｂ、中継装置５０、及び第４配線５を介して、当該ＡＥＤ４０が収容された筐体２１に収容されている表示装置６０及び音響装置７０に送信する。ここで、「故障状態復旧信号」とは、ＡＥＤ４０が故障状態から正常状態に復旧した旨を示す故障状態復旧情報を含む信号であり、所定のフォーマットで生成される。その後、このＡＥＤ４０の制御部４８は、ＳＥ１に移行し、以降同様に、ＳＥ１からＳＥ４の処理を行う。
【０１１７】
次に、図１０に示すように、ＳＦ１において各表示装置６０の制御部６３（又は各音響装置７０の制御部７３）は、ＳＥ３にてＡＥＤ４０が復旧したと判定されたＡＥＤ４０から送信された故障状態復旧信号を中継装置５０、第４配線５、及び通信部６２（又は通信部７２）を介して受信したか否かを判定する。そして、この表示装置６０の制御部６３（又はこの音響装置７０の制御部７３）は、上記故障状態復旧信号が受信されるまで待機し（ＳＦ３、Ｎｏ）、上記故障状態復旧信号が受信された場合に（ＳＦ３、Ｙｅｓ）、ＳＦ４に移行する。
【０１１８】
ＳＦ４において、ＳＦ３にて故障状態復旧信号が受信された表示装置６０の制御部６３（又は音響装置７０の制御部７３）は、表示灯６１（又は非常ベル７１）によって、故障状態情報の出力を停止させる。その後、この表示装置６０の制御部６３（又はこの音響装置７０の制御部７３）は、ＳＦ１に移行し、以降同様に、ＳＦ１からＳＦ４の処理を行う。
【０１１９】
（処理−使用必要状態報知処理）
次に、使用必要状態報知処理について説明する。図１１は、ＡＥＤ４０に関する使用必要状態報知処理のフローチャートである。図１２は、表示装置６０又は音響装置７０に関する使用必要状態報知処理のフローチャートである。使用必要状態報知処理は、ＡＥＤ４０が使用必要状態であることを報知する処理である。また、この使用必要状態報知処理を実行するタイミングは任意であるが、実施の形態１では、ＡＥＤ４０の一部（具体的には、無線通信部４４ｂ、撮像部４７、及び制御部４８）、中継装置５０、表示装置６０、及び音響装置７０に電源が投入された後に起動され、上述した火災報知処理、使用状態報知処理、及び故障状態報知処理と並行して実行されるものとして説明する。
【０１２０】
使用必要状態報知処理が起動されると、図１１、図１２に示すように、建物にいる人に対して、後述する使用必要状態情報が表示装置６０の表示灯６１又は音響装置７０の非常ベル７１によって提示することができるように、各ＡＥＤ４０の制御部４８は、ＳＧ１からＳＧ４を行うと共に、各表示装置６０の制御部６３（又は各音響装置７０の制御部７３）は、ＳＨ１及びＳＨ２の処理を行う。
【０１２１】
まず、図１１に示すように、ＳＧ１において各ＡＥＤ４０の制御部４８は、所定のタイミング（例えば、３０ｍｉｎ毎等）で撮像部４７にて撮像された画像を当該撮像部４７から取得した否かを判定する。そして、各ＡＥＤ４０の制御部４８は、上記画像が取得されるまで待機し（ＳＧ１、Ｎｏ）、上記画像が取得された場合に（ＳＧ１、Ｙｅｓ）、ＳＧ２に移行する。
【０１２２】
ＳＧ２において、ＳＧ１にて画像が取得されたＡＥＤ４０の画像処理部４８ｂは、公知の画像処理手法を用いて、当該画像を処理する。この画像の画像処理については任意であるが、例えば、この画像から所定の輪郭を有する形状を抽出し、当該抽出した形状と、記憶部４９にあらかじめ記憶された人の姿勢を特定するデータとのマッチングを行うことにより、この画像に含まれる人の姿勢を特定する（なお、後述するＳＧ６における画像の画像処理についても同様とする）。
【０１２３】
ＳＧ３において、ＳＧ１にて画像が取得されたＡＥＤ４０の判定部４８ａは、当該ＡＥＤ４０が使用必要状態であるか否かを判定する。このＡＥＤ４０が使用必要状態であるか否かの判定については任意であるが、実施の形態１においては、ＳＧ２にて処理された画像に、地面に倒れている人の輪郭を有する形状が存在する否かに基づいて判定する。ここで、このＡＥＤ４０の判定部４８ａは、ＳＧ２にて処理された画像に、地面に倒れている人の輪郭を有する形状が存在する場合に、当該ＡＥＤ４０が使用必要状態であると判定する。一方、ＳＧ２にて処理された画像に、地面に倒れている人の輪郭を有する形状が存在しない場合に、当該ＡＥＤ４０が使用必要状態でないと判定する。そして、このＡＥＤ４０の判定部４８ａは、このＡＥＤ４０が使用必要状態でないと判定された場合（ＳＧ３、Ｎｏ）、ＳＧ１に移行し、ＳＧ３にてこのＡＥＤ４０が使用必要状態であると判定されるまで、ＳＧ１からＳＧ３の処理を繰り返す。一方、このＡＥＤ４０が使用必要状態であると判定された場合（ＳＧ３、Ｙｅｓ）、ＳＧ４に移行する。
【０１２４】
ＳＧ４において、ＳＧ３にて使用必要状態であると判定されたＡＥＤ４０の制御部４８は、使用必要状態信号を生成し、当該生成した使用必要状態信号を無線通信部４４ｂ、中継装置５０、及び第４配線５を介して、当該ＡＥＤ４０が収容された筐体２１に収容されている表示装置６０及び音響装置７０に送信する。ここで、「使用必要状態信号」とは、ＡＥＤ４０が使用必要状態である旨を示す状態情報（以下、「使用必要状態情報」と称す）を含む信号であり、所定のフォーマットで生成される。
【０１２５】
次に、図１２に示すように、ＳＨ１において各表示装置６０の制御部６３（又は各音響装置７０の制御部７３）は、ＳＧ３にて使用必要状態であると判定されたＡＥＤ４０から送信された使用必要状態信号を中継装置５０、第４配線５、及び通信部６２（又は通信部７２）を介して受信したか否かを判定する。そして、各表示装置６０の制御部６３（又は各音響装置７０の制御部７３）は、上記使用必要状態信号が受信されるまで待機し（ＳＨ１、Ｎｏ）、上記使用必要状態信号が受信された場合に（ＳＨ１、Ｙｅｓ）、ＳＨ２に移行する。
【０１２６】
ＳＨ２において、ＳＨ１にて使用必要状態信号が受信された表示装置６０の制御部６３（又は音響装置７０の制御部７３）は、表示灯６１（又は非常ベル７１）によって、上記使用必要状態信号に含まれる使用必要状態情報を出力させる。また、この故障状態情報の出力については任意であるが、実施の形態１においては、表示灯６１による火災情報の表示が点灯表示であり、表示灯６１による使用状態情報の表示が３ｓｅｃ間隔で点滅表示であり、表示灯６１による故障状態情報の表示が１０ｓｅｃ間隔で点滅表示である場合に、表示灯６１による使用必要状態情報の表示として、６ｓｅｃ間隔で点滅表示する。また、非常ベル７１による火災情報の出力が「ジリジリ」というベル音を連続的に出力し、非常ベル７１による使用状態情報の出力が「ジリジリ」というベル音を３ｓｅｃ間隔で断続的に出力し、非常ベル７１による故障状態情報の出力が「ジリジリ」というベル音を１０ｓｅｃ間隔で断続的に出力する場合に、非常ベル７１による使用必要状態情報の出力として、「ジリジリ」というベル音を６ｓｅｃ間隔で断続的に出力する。
【０１２７】
以上のような処理により、建物にいる人に対して、使用必要状態情報を提示することができる。これにより、建物にいる人が、ＡＥＤ４０が使用必要状態であることを把握でき、ＡＥＤ４０の使用を迅速に開始することが可能となる。
【０１２８】
次に、図１１、図１２に示すように、ＳＨ２において使用必要状態情報が出力された表示装置６０又は音響装置７０の出力状態を、ＳＧ２にて処理された画像に、地面に倒れている人の輪郭を有する形状が存在する前の状態に戻すために、ＳＧ４にて使用必要状態信号が送信されたＡＥＤ４０の制御部４８は、ＳＧ５からＳＧ８の処理を行うと共に、ＳＨ２において使用必要状態情報が出力された表示装置６０又は音響装置７０は、ＳＨ３及びＳＨ４の処理を行う。
【０１２９】
まず、図１１に示すように、ＳＧ５において、ＳＧ４にて使用必要状態信号が送信されたＡＥＤ４０の制御部４８は、所定のタイミングで撮像部４７にて撮像された画像を当該撮像部４７から取得した否かを判定する。そして、このＡＥＤ４０の制御部４８は、上記画像が取得されるまで待機し（ＳＧ５、Ｎｏ）、上記画像が取得された場合に（ＳＧ５、Ｙｅｓ）、ＳＧ６に移行する。
【０１３０】
ＳＧ６において、ＳＧ５にて画像が取得されたＡＥＤ４０の画像処理部４８ｂは、公知の画像処理手法を用いて、当該画像を処理する。
【０１３１】
ＳＧ７において、ＳＧ５にて画像が取得されたＡＥＤ４０の判定部４８ａは、当該ＡＥＤ４０が使用不要状態であるか否かを判定する。このＡＥＤ４０が使用不要状態であるか否かの判定については任意であるが、実施の形態１においては、ＳＧ６にて処理された画像に、地面に倒れている人の輪郭を有する形状が存在する否かに基づいて判定する。ここで、このＡＥＤ４０の判定部４８ａは、ＳＧ６にて処理された画像に、地面に倒れている人の輪郭を有する形状が存在する場合に、当該ＡＥＤ４０が使用不要状態でないと判定する。一方、ＳＧ６にて処理された画像に、地面に倒れている人の輪郭を有する形状が存在しない場合に、当該ＡＥＤ４０が使用不要状態であると判定する。そして、このＡＥＤ４０の判定部４８ａは、このＡＥＤ４０が使用不要状態でないと判定された場合（ＳＧ７、Ｎｏ）、ＳＧ５に移行し、ＳＧ７にてこのＡＥＤ４０が使用不要状態であると判定されるまで、ＳＧ５からＳＧ７の処理を繰り返す。一方、このＡＥＤ４０が使用不要状態であると判定された場合（ＳＧ７、Ｙｅｓ）、ＳＧ８に移行する。
【０１３２】
ＳＧ８において、ＳＧ７にて使用不要状態であると判定されたＡＥＤ４０の制御部４８は、使用不要状態信号を生成し、当該生成した使用不要状態信号を無線通信部４４ｂ、中継装置５０、及び第４配線５を介して、当該ＡＥＤ４０が収容された筐体２１に収容されている表示装置６０及び音響装置７０に送信する。ここで、「使用不要状態信号」とは、ＡＥＤ４０が使用不要状態である旨を示す使用不要状態情報を含む信号であり、所定のフォーマットで生成される。その後、このＡＥＤ４０の制御部４８は、ＳＧ１に移行し、以降同様に、ＳＧ１からＳＧ８の処理を行う。
【０１３３】
次に、図１２に示すように、ＳＨ３において、ＳＨ２にて使用必要状態情報が出力された表示装置６０の制御部６３（又は音響装置７０の制御部７３）は、ＳＧ７にて使用不要状態であると判定されたＡＥＤ４０から送信された使用不要状態信号を中継装置５０、第４配線５、及び通信部６２（又は通信部７２）を介して受信したか否かを判定する。そして、この表示装置６０の制御部６３（又はこの音響装置７０の制御部７３）は、上記使用不要状態信号が受信されるまで待機し（ＳＨ３、Ｎｏ）、上記使用不要状態信号が受信された場合に（ＳＨ３、Ｙｅｓ）、ＳＨ４に移行する。
【０１３４】
ＳＨ４において、ＳＨ１にて使用必要状態信号が受信された表示装置６０の制御部６３（又は音響装置７０の制御部７３）は、表示灯６１（又は非常ベル７１）によって、使用必要状態情報の出力を停止させる。その後、この表示装置６０の制御部６３（又はこの音響装置７０の制御部７３）は、ＳＨ１に移行し、以降同様に、ＳＨ１からＳＨ４の処理を行う。
【０１３５】
（効果）
このように実施の形態１によれば、ＡＥＤ４０が、判定部４８ａ等の判定結果に基づいて、当該ＡＥＤ４０の状態を示す状態情報を含む信号を無線通信部５２に無線にて通信する無線通信部４４ｂを備え、表示装置６０又は音響装置７０が、無線通信部４４ｂから送信された状態情報を含む信号が無線通信部５２を介して受信された場合に、当該状態情報を表示灯６１又は非常ベル７１に出力させるので、ＡＥＤ４０が無線通信部５２から離れた場所で使用された場合でも、当該ＡＥＤ４０から送信された状態情報を含む信号を無線通信部５２を介して表示装置６０又は音響装置７０が受信でき、建物にいる人に対して状態情報を提示することが可能となる。これにより、建物にいる人が、ＡＥＤ４０の状態を把握でき、従来技術に比べてＡＥＤ４０の状態に応じた必要な措置を迅速に取ることが可能となる。また、表示装置６０の表示灯６１又は音響装置７０の非常ベル７１によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。
【０１３６】
また、無線通信部４４ｂが、判定部４８ａによってＡＥＤ４０が使用状態であると判定された場合に、当該ＡＥＤ４０が使用状態信号を無線通信部５２に無線にて通信するので、建物にいる人に対して使用状態情報を提示することができる。これにより、建物にいる人が、ＡＥＤ４０が使用状態であることを把握できることから、心臓が正常に拍動できなくなった状態となった人に対して救命活動を行うために、ＡＥＤ４０が使用されている場合に、このＡＥＤ４０の使用者が、当該使用者以外の第三者からの救命活動のサポートを迅速に受けやすくなる。
【０１３７】
また、無線通信部４４ｂが、検知部４３及び判定部４８ａによってＡＥＤ４０が故障状態であると判定された場合に、故障状態信号を無線通信部５２に無線にて通信するので、建物にいる人に対してＡＥＤ４０が故障状態情報を提示することができる。これにより、建物にいる人が、ＡＥＤ４０が故障状態であることを把握でき、ＡＥＤ４０の点検や修理等を迅速に行うことが可能となる。
【０１３８】
また、無線通信部４４ｂが、判定部４８ａ及び画像処理部４８ｂによってＡＥＤ４０が使用必要状態であると判定された場合に、使用必要状態信号を無線通信部５２に無線にて通信するので、建物にいる人に対してＡＥＤ４０が使用必要状態情報を提示することができる。これにより、建物にいる人が、ＡＥＤ４０が使用必要状態であることを把握でき、ＡＥＤ４０の使用を迅速に開始することが可能となる。
【０１３９】
また、表示装置６０が、無線通信部４４ｂから送信された状態情報を含む信号が無線通信部５２を介して受信された場合に、当該状態情報を表示灯６１に表示させるので、建物にいる人に対して状態情報を表示灯６１に表示して提示でき、建物にいる人に対して状態情報を容易且つ確実に伝えることが可能となる。
【０１４０】
また、音響装置７０が、無線通信部４４ｂから送信された状態情報を含む信号が無線通信部５２を介して受信された場合に、当該状態情報を非常ベル７１に出力させるので、建物にいる人に対して聴覚を通じて状態情報を提示できる。よって、建物にいる人が、表示装置６０の表示灯６１を視認することができない位置にいる場合、又は、表示装置６０の表示灯６１を視認することができるものの、表示灯６１に表示される情報を視認することが難しい場合であっても、状態情報を迅速に伝えることが可能となる。
【０１４１】
また、無線通信部４４ｂが、通信停止ボタン４２ａを介して状態情報を含む信号の通信停止の指示が受け付けられた場合に、当該状態情報を含む信号の通信を停止するので、火災報知システム１の管理者等がＡＥＤ４０の点検を行う場合に、状態情報が表示装置６０の表示灯６１（又は音響装置７０の非常ベル７１）によって出力されることを回避できるため、ＡＥＤ４０が使用されていないにも関わらず、状態情報が誤って出力されることを防止できる。
【０１４２】
また、ＡＥＤ４０が、音声を入力する音声入力部４６ｂと、音声を出力する音声出力部４６ｃと、当該ＡＥＤ４０の使用者と受信機８０の管理者等との間で、音声によって行われる通話に関する処理を行う通話処理部４８ｃと、を備えているので、ＡＥＤ４０の使用者と受信機８０の管理者等との対話を通じて、ＡＥＤ４０の使用者が受信機８０の管理者等からＡＥＤ４０の使用についてのアドバイス等を受けることができる。
【０１４３】
また、ＡＥＤ４０の通話処理部４８ｃは、撮像部４７にて撮像された画像を含む信号を無線通信部４４ｂを介して受信機８０に通信し、受信機８０から送信された画像を含む信号が無線通信部４４ｂを介して受信された場合に、当該画像を表示部４６ａに表示させるので、ＡＥＤ４０の使用者と受信機８０の管理者等との相互間で画像のやりとりを行うことができる。よって、例えば、受信機８０の管理者等が、ＡＥＤ４０から受信した画像に基づいて、ＡＥＤ４０の周囲の状況等を正確に把握することが可能となる。また、ＡＥＤ４０の使用者が、受信機８０から受信した画像に基づいて、ＡＥＤ４０の使用についてのアドバイス等を正確に把握することが可能となる。
【０１４４】
〔実施の形態２〕
次に、実施の形態２に係る火災報知システムについて説明する。この実施の形態２は、火災報知システムの制御方式をＰ型方式とした形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１４５】
（構成）
最初に、実施の形態２に係る火災報知システムの構成を説明する。図１３は、実施の形態２に係る火災報知システムの構成を示す概略図である。図１４は、複合報知装置の電気的構成を示したブロック図である。図１３、図１４に示すように、火災報知システム１０１は、感知器１０と、複合報知装置２０と、受信機８０と、通報装置９０とを備えて構成されている。
【０１４６】
また、これら装置の接続形態については、以下に示す通りに設定されている。具体的には、受信機８０と感知器１０、発信機３０、及びＡＥＤ４０の各々との相互間の接続については、火災信号等を共通の信号として通信する方式（いわゆるＰ型方式）が採用されているので、建物の各階毎に設置された少なくとも１つ以上の感知器１０、発信機３０、及びＡＥＤ４０が第１配線２を介して受信機８０と接続されている。ここで、第１配線２の構成については、具体的には、３本の信号線を含んで構成されており、より具体的には、第１配線２はＬ線（図示省略）、Ｃ線（図示省略）、Ａ線（図示省略）を含んで構成されている。なお、第１配線２におけるＬ線とＣ線との間、及びＡ線とＣ線との間には、受信機８０から所定の電圧が印加されている。また、これらＬ線及びＣ線の終端、及びＡ線及びＣ線の終端の各々には、図示しない終端器（例えば抵抗器）が接続されている。そして、受信機８０は、電気的にこれら終端器の接続の有無を判断することで（例えば、Ｌ線から終端器を介してＣ線に流れる電流が所定範囲にあるか否かを判断することで）、Ｌ線及びＣ線（又はＡ線及びＣ線）が断線（又は短絡）しているか否かを判定する。
【０１４７】
また、感知器１０及び発信機３０以外の装置と受信機８０との相互間の接続については、表示装置６０が、第２配線３を介して受信機８０と接続されていると共に、音響装置７０が、第３配線４を介して受信機８０と接続されている。また、中継装置５０が、第５配線６を介して受信機８０と接続されていると共に、通報装置９０が、第６配線７を介して受信機８０と接続されている。
【０１４８】
（構成−複合報知装置）
次に、複合報知装置２０の構成について説明する。図１４に示すように、複合報知装置２０は、筐体２１の内部において、発信機３０と、ＡＥＤ４０と、中継装置５０と、表示装置６０と、音響装置７０とを一体に収容して構成されている。
【０１４９】
（構成−複合報知装置−中継装置）
中継装置５０は、通信部５１、無線通信部５２、及び制御部５３を備えて構成されている。このうち、通信部５１は、受信機８０との間で第５配線６を介して通信を行うものである。
【０１５０】
（構成−受信機）
次に、受信機８０の構成について説明する。図１５は、受信機８０の電気的構成を示したブロック図である。図１５に示すように、受信機８０は、操作部８１、通信部８２、表示部８３、音声入力部８４、音声出力部８５、電力供給部８６、制御部８７、及び記憶部８８を備えて構成されている。このうち、通信部８２は、Ｌ−Ｃ入力部８２ａと、Ａ−Ｃ入力部８２ｂとを備えて構成されている。ここで、Ｌ−Ｃ入力部８２ａは、第１配線２のＬ線及びＣ線を介して、感知器１０又は発信機３０から送信された信号を受信機８０に入力するＬ−Ｃ入力手段である。Ａ−Ｃ入力部８２ｂは、第１配線２のＡ線及びＣ線を介して、発信機３０から送信された信号を受信機８０に入力するＡ−Ｃ入力手段である。
【０１５１】
（処理）
次に、このように構成された火災報知システム１０１によって実行される火災報知処理、使用状態報知処理、故障状態報知処理、及び使用必要状態報知処理について説明する。なお、故障状態報知処理及び使用必要状態報知処理については、上述した実施の形態１に係る故障状態報知処理及び使用必要状態報知処理と同様であるので、その処理の説明を省略する。
【０１５２】
（処理−火災報知処理）
まず、火災報知処理について説明する。図１６は、感知器１０又は発信機３０に関する火災報知処理のフローチャートである。図１７は、表示装置６０又は音響装置７０に関する火災報知処理のフローチャートである。実施の形態２に係る火災報知処理については、図１６のＳＡ２、ＳＡ４、図１７のＳＢ１、ＳＢ３の処理の内容を除いて、図５、図６に示す実施の形態１に係る火災報知処理の各処理と同様であるので、その説明を省略する。
【０１５３】
図１６に示すように、ＳＡ１の処理後、ＳＡ２において、ＳＡ１にて火災が検知されたと判定された感知器１０の制御部は、火災信号を通信部及び第１配線２、受信機８０、及び第２配線３（又は第３配線４）を介して各表示装置６０及び各音響装置７０に送信する。また、ＳＡ１にて非常ボタン３１ａを介して火災信号の送信指示が受け付けられたと判定された発信機３０の制御部は、火災信号を通信部及び第１配線２、受信機８０、及び第２配線３（又は第３配線４）を介して各表示装置６０及び各音響装置７０に送信すると共に、確認表示灯を点灯表示させる。
【０１５４】
ここで、感知器１０における火災信号の送信については任意であるが、具体的には、まず、感知器１０の制御部が、火災信号を通信部及び第１配線２を介して受信機８０に送信し、具体的には、通常時において、第１配線２のＡ線、Ｌ線、及びＣ線が断線している場合に、これらＬ線及びＣ線のみを導通するように接続することにより、火災信号を送信する。次に、受信機８０の制御部８７が、感知器１０から送信された火災信号を第１配線２及びＬ−Ｃ入力部８２ａを介して受信し、当該受信した火災信号を通信部８２、第２配線３（又は第３配線４）を介して各表示装置６０及び各音響装置７０に送信する。
また、発信機３０における火災信号の送信及び確認表示灯の表示については任意であるが、具体的には、発信機３０の制御部が、火災信号を通信部及び第１配線２を介して受信機８０に送信し、より具体的には、通常時において、第１配線２のＡ線、Ｌ線、及びＣ線が断線している場合に、これらＬ線、及びＣ線を導通するように接続することにより、火災信号を送信する。また、このＡ線を導通するように接続することにより、確認表示灯を点灯表示させる。次に、受信機８０の制御部８７が、発信機３０から送信された火災信号を第１配線２、Ｌ−Ｃ入力部８２ａ及びＡ−Ｃ入力部８２ｂを介して受信し、当該受信した火災信号を通信部８２、第２配線３（又は第３配線４）を介して各表示装置６０及び各音響装置７０に送信する。
なお、上述したＳＡ２における第１配線２のＡ線、Ｌ線、及びＣ線の接続状態については、ＳＡ２にて火災信号が送信された感知器１０（又は発信機３０）の制御部がＳＡ４に移行するまで継続される（すなわち、ＳＡ４に移行するまで火災信号は継続して送信される）。
【０１５５】
次に、図１７に示すように、ＳＢ１において各表示装置６０の制御部６３（又は各音響装置７０の制御部７３）は、ＳＡ１にて火災が検知されたと判定された感知器１０（又は、ＳＡ１にて非常ボタン３１ａを介して火災信号の送信指示が受け付けられたと判定された発信機３０）から送信された火災信号を第１配線２、受信機８０、第２配線３（又は第３配線４）、及び通信部６２（又は通信部７２）を介して受信したか否かを判定する。
【０１５６】
図１６に戻り、ＳＡ３の処理後、ＳＡ４において、ＳＡ３にて火災が検知されなくなったと判定された感知器１０の制御部（又は、ＳＡ３にて非常ボタン３１ａが火災信号の送信指示を受け付ける前の状態に復旧されたと判定された発信機３０の制御部）は、ＳＡ２の感知器１０（又は発信機３０）の火災信号の送信を行っている状態から当該火災信号の送信を行う前の状態に復旧させる、すなわち、通信部による火災信号の送信を停止させる（なお、発信機３０の場合には、確認表示灯の表示も停止させる）。ここで、感知器１０における火災信号の送信停止については任意であるが、実施の形態２においては、火災信号を送信する場合において、第１配線２のＬ線及びＣ線のみが導通するように接続される場合には、通常時の接続状態となるように、これらＬ線及びＣ線を断線することにより、火災信号の送信を停止する。また、発信機３０における火災信号の送信停止及び確認表示灯の表示停止については任意であるが、実施の形態２においては、火災信号を送信し、且つ確認表示灯を点灯表示する場合において、第１配線２のＡ線、Ｌ線、及びＣ線が導通するように接続される場合には、通常時の接続状態となるように、これらＡ線、Ｌ線、及びＣ線を断線することにより、火災信号の送信を停止すると共に、確認表示灯の点灯表示を停止する。
【０１５７】
次に、図１７に示すように、ＳＢ３において各表示装置６０の制御部６３（又は各音響装置７０の制御部７３）は、ＳＡ３にて火災が検知されなくなったと判定された感知器１０（又は、ＳＡ３にて非常ボタン３１ａが火災信号の送信指示を受け付ける前の状態に復旧されたと判定された発信機３０）から送信されている火災信号を第１配線２、受信機８０、第２配線３（又は第３配線４）、及び通信部６２（又は通信部７２）を介して継続して受信しているか否かを判定する。そして、各表示装置６０の制御部６３（又は各音響装置７０の制御部７３）は、火災信号を継続して受信していると判定された場合（ＳＢ３、Ｙｅｓ）、火災信号を継続して受信していないと判定されるまでＳＢ３の処理を繰り返し、火災信号を継続して受信していないと判定された場合（ＳＢ３、Ｎｏ）、ＳＢ４に移行する。
【０１５８】
（処理−使用状態報知処理）
次に、使用状態報知処理について説明する。実施の形態２に係る使用状態報知処理については、図７のＳＣ３及びＳＣ５、図８のＳＤ１及びＳＤ３の処理の内容を除いて、実施の形態１に係る使用状態報知処理の各処理と同様であるので、フローチャートの図示及び説明を省略する。
【０１５９】
ＳＣ２の処理後、ＳＣ３において、ＳＣ１にて使用状態であると判定されたＡＥＤ４０の制御部４８は、使用状態信号を無線通信部４４ｂ、中継装置５０、第５配線６、受信機８０、第２配線３（又は第３配線４）を介して各表示装置６０及び各音響装置７０に送信する。なお、ＳＣ３の処理を行う直前又は直後において、このＡＥＤ４０の使用者と受信機８０の管理者等との間で、音声によって行われる通話に関する処理が行われる場合には、ＡＥＤ４０における受信機８０との通信は、無線通信部４４ｂ、中継装置５０、及び第５配線６を介して行われる。
【０１６０】
次いで、ＳＤ１において各表示装置６０の制御部６３（又は各音響装置７０の制御部７３）は、ＳＣ１にて使用状態であると判定されたＡＥＤ４０から送信された使用状態信号を中継装置５０、第５配線６、受信機８０、第２配線３（又は第３配線４）、及び通信部６２（又は通信部７２）を介して受信したか否かを判定する。
【０１６１】
また、ＳＣ５において、ＳＣ４にて不使用状態であると判定されたＡＥＤ４０の制御部４８は、不使用状態信号を無線通信部４４ｂ、中継装置５０、第５配線６、受信機８０、第２配線３（又は第３配線４）を介して各表示装置６０及び各音響装置７０に送信する。
【０１６２】
次いで、ＳＤ３において各表示装置６０の制御部６３（又は各音響装置７０の制御部７３）は、ＳＣ４にて不使用状態であると判定されたＡＥＤ４０から送信された不使用状態信号を中継装置５０、第５配線６、受信機８０、第２配線３（又は第３配線４）、及び通信部６２（又は通信部７２）を介して受信したか否かを判定する。
【０１６３】
（効果）
このように実施の形態２によれば、火災報知システム１０１の制御方式がＰ型方式である場合でも、ＡＥＤ４０が、判定部４８ａ等の判定結果に基づいて、当該ＡＥＤ４０の状態を示す状態情報を含む信号を無線通信部５２に無線にて通信する無線通信部４４ｂを備え、表示装置６０又は音響装置７０が、無線通信部４４ｂから送信された状態情報を含む信号が無線通信部５２を介して受信された場合に、当該状態情報を表示灯６１又は非常ベル７１に出力させるので、ＡＥＤ４０が無線通信部５２から離れた場所で使用された場合でも、当該ＡＥＤ４０から送信された状態情報を含む信号を無線通信部５２を介して表示装置６０又は音響装置７０が受信でき、建物にいる人に対して状態情報を提示することが可能となる。これにより、建物にいる人が、ＡＥＤ４０の状態を把握でき、従来技術に比べてＡＥＤ４０の状態に応じた必要な措置を迅速に取ることが可能となる。
【０１６４】
〔III〕実施の形態に対する変形例
以上、本発明に係る各実施の形態について説明したが、本発明の具体的な構成及び手段は、特許請求の範囲に記載した本発明の技術的思想の範囲内において、任意に改変及び改良することができる。以下、このような変形例について説明する。
【０１６５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来のシステムよりも建物にいる人に対してＡＥＤ４０の状態を報知することができない場合であっても、従来のシステムと同程度に、ＡＥＤ４０の状態を報知することが従来のシステムとは異なる本願発明のシステムによって達成できている場合には、本願発明の課題が解決されている。
【０１６６】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、ＡＥＤ４０、中継装置５０、表示装置６０、音響装置７０、受信機８０をそれぞれ複数の装置に分散して構成したり、ＡＥＤ４０、中継装置５０、表示装置６０、音響装置７０、受信機８０の一方の機能の一部を他方に持たせたりしてもよい。また、各部を分散する場合において、これら各部の相互間の連携は、有線と無線のいずれか一方又は両方により行うことができる。
【０１６７】
（実施の形態の相互関係について）
複数の実施の形態が記載されている場合において、これら複数の実施の形態の相互間においては、その構成や処理の一部を相互に入れ替えたり、一方の構成や処理を他方に適用したりしてもよい。
【０１６８】
（形状、数値、構造、時系列について）
各実施の形態や図面において例示した構成要素に関して、形状、数値、又は複数の構成要素の構造若しくは時系列の相互関係については、本発明の技術的思想の範囲内において、任意に改変及び改良することができる。
【０１６９】
（火災情報出力装置について）
上記実施の形態１、２では、火災情報出力装置は、表示装置６０や音響装置７０であると説明したが、これに限られず、例えば、感知器１０等であってもよい。ここで、感知器１０の状態情報の出力については、具体的には、感知器１０が、図示しない無線アンテナを介してＡＥＤ４０との相互間で無線にて通信を行う無線通信部（第１無線通信手段）と、火災情報を表示する表示部（表示手段）とを備え、感知器１０の制御部が、ＡＥＤ４０から状態情報を含む状態信号をこの無線通信部を介して受信した場合に、当該状態信号に含まれる状態情報をこの表示部に表示させる。
【０１７０】
（複合報知装置について）
上記実施の形態１、２では、複合報知装置２０は、筐体２１の内部において、発信機３０と、ＡＥＤ４０と、中継装置５０と、表示装置６０と、音響装置７０とを一体に収容して構成されていると説明したが、これに限られない。例えば、これらの装置に加えて、他の機器や設備（例えば消火栓等）を一体に収容して構成されてもよい。
【０１７１】
また、上記実施の形態１、２では、複合報知装置２０は、表示装置６０と、音響装置７０とを備えていると説明したが、これに限られず、例えば、表示装置６０又は音響装置７０のいずれか一方のみを備えてもよい。
【０１７２】
（ＡＥＤについて）
上記実施の形態１、２では、ＡＥＤ４０の使用者と受信機８０の管理者等とが対話できるように、ＡＥＤ４０が、音声入力部４６ｂ、音声出力部４６ｃ、及び通話処理部４８ｃを備えていると説明したが、これに限られず、例えば、音声入力部４６ｂ、音声出力部４６ｃ、及び通話処理部４８ｃを省略してもよい。
【０１７３】
また、上記実施の形態１、２では、ＡＥＤ４０の使用者と受信機８０の管理者等とが対話できるように、ＡＥＤ４０における受信機８０との通信は、無線通信部４４ｂ、中継装置５０、及び第４配線５（又は第５配線６）を介して行われると説明したが、これに限られない。例えば、ＡＥＤ４０の使用者と、消防局に設置されているセンタ装置の管理者等とが対話できるように、ＡＥＤ４０におけるセンタ装置との通信は、無線通信部４４ｂ、中継装置５０、第４配線５（又は第５配線６）、受信機８０、及び外部通信網を介して行われてもよい。
【０１７４】
（音響装置について）
上記実施の形態１、２では、音響装置７０は、非常ベル７１を備えていると説明したが、これに限られない。例えば、様々な音色で火災情報又は状態情報を出力できるように、公知のブザーや公知のスピーカを備えてもよい。ここで、ブザーやスピーカによる火災情報及び状態情報の出力については任意であるが、例えば、火災情報の出力として、「火災が発生しました」等の定型メッセージを出力し、状態情報（ここでは、使用状態情報）の出力として、「ＡＥＤが使用されています」等の定型メッセージを出力してもよい。
【０１７５】
（火災報知処理について）
上記実施の形態１、２では、ＳＢ２における火災情報の出力において、表示装置６０の表示灯６１によって点灯表示させると共に、音響装置７０の非常ベル７１によってベル音を連続的に出力させると説明したが、これに限られない。例えば、表示灯６１による使用状態情報の表示とは異なる時間間隔（例えば、１ｓｅｃ間隔等）で、表示灯６１が点滅表示すると共に、非常ベル７１による火災情報の出力とは異なる時間間隔（例えば、１ｓｅｃ間隔等）で、非常ベル７１が「ジリジリ」というベル音を断続的に出力してもよい。
【０１７６】
（使用状態報知処理について）
上記実施の形態１では、ＳＣ３において、ＳＣ１にて使用状態であると判定されたＡＥＤ４０の制御部４８が、使用状態信号を無線通信部４４ｂ、中継装置５０、第１配線２、受信機８０、第２配線３（又は第３配線４）を介して各表示装置６０及び各音響装置７０に送信すると説明したが、これに限られない。例えば、このＡＥＤ４０が収容された筐体２１に収容されている表示装置６０及び音響装置７０のみに使用状態情報を出力させるために、ＡＥＤ４０の制御部４８が、使用状態信号を無線通信部４４ｂ、中継装置５０、及び第４配線５を介して上述した表示装置６０及び上記音響装置７０のみに送信してもよい。この場合には、ＳＣ６において、ＳＣ５にて不使用状態であると判定されたＡＥＤ４０の制御部４８が、不使用状態信号を無線通信部４４ｂ、中継装置５０、及び第４配線５を介して上述した表示装置６０及び音響装置７０のみに送信する。このような処理により、ＳＣ１にて使用状態であると判定されたＡＥＤ４０が収容されている筐体２１に収容された表示装置６０の表示灯６１又は音響装置７０の非常ベル７１のみにより使用状態情報を出力させることができるので、建物にいる人が、建物に設置された複数のＡＥＤ４０の中から、使用状態にあるＡＥＤ４０を容易且つ正確に認識することが可能となる。
【０１７７】
また、上記実施の形態１、２では、ＳＤ２、ＳＦ２、ＳＨ２において、表示装置６０の制御部６３が、表示灯６１によって所定の時間間隔で点滅表示させると説明したが、これに限られない。例えば、表示灯６１によって、火災情報と状態情報とを異なる表示色で表示できるように、表示灯６１が、赤色のＬＥＤランプと、白色のＬＥＤランプと、黄色のＬＥＤランプと、緑色のＬＥＤランプとを備える。そして、表示装置６０の制御部６３が、火災情報を赤色のＬＥＤランプによって出力させ、使用状態情報を白色のＬＥＤランプによって出力させ、故障状態情報を黄色のＬＥＤランプによって出力させ、使用必要状態情報を緑色のＬＥＤランプによって出力させてもよい。
【０１７８】
（故障状態報知処理について）
上記実施の形態１では、ＳＥ２（又はＳＥ４）において、ＡＥＤ４０の制御部４８が、故障状態信号（又は故障状態復旧信号）を無線通信部４４ｂ、中継装置５０、及び第４配線５を介して、当該ＡＥＤ４０が収容された筐体２１に収容されている表示装置６０及び音響装置７０に送信すると説明したが、これに限られない。例えば、故障状態信号（又は故障状態復旧信号）を通信部４４ａ、第１配線２、受信機８０、及び第２配線３（又は第３配線４）を介して上述した表示装置６０及び音響装置７０のみに送信してもよい。具体的には、まず、ＡＥＤ４０の制御部４８が、故障状態信号（又は故障状態復旧信号）に記憶部４９に格納されたＡＥＤ４０を一意に識別する識別情報を付加したものを通信部４４ａ及び第１配線２を介して受信機８０に送信する。次に、受信機８０の制御部８７が、ＡＥＤ４０から送信された故障状態信号（又は故障状態復旧信号）を第１配線２及び通信部８２を介して受信する。次いで、受信機８０の制御部８７が、受信した故障状態信号（又は故障状態復旧信号）に付加された識別情報に基づいて、ＡＥＤ４０の近傍に設置されている上述した表示装置６０（又は音響装置７０）を特定し、故障状態信号（又は故障状態復旧信号）を通信部８２及び第２配線３（又は第３配線４）を介して当該特定された表示装置６０（又は音響装置７０）のみに送信する（なお、実施の形態１に係る使用必要状態報知処理の使用必要状態信号（又は使用不要状態信号）の送信についても同様とする）。これにより、第４配線５を用いることなく、故障状態信号（又は故障状態復旧信号）を上述した表示装置６０（又は音響装置７０）のみに送信でき、上述した表示装置６０（又は音響装置７０）のみに、故障状態情報を出力させたり、又は故障状態情報の出力を停止させたりすることができる。なお、この場合には、第４配線５を省略することができる。
【０１７９】
（付記）
上述した課題を解決し、目的を達成するために、付記１の火災報知システムは、監視領域における火災を検知して警報を行う火災報知システムであって、火災の報知を示す火災情報を出力手段により出力する火災情報出力装置と、除細動を行う自動体外式除細動器と、前記自動体外式除細動器との間で無線通信を行う第１無線通信手段と、を備え、前記自動体外式除細動器は、当該自動体外式除細動器の状態を判定する判定手段と、前記判定手段の判定結果に基づいて、当該自動体外式除細動器の状態を示す状態情報を含む信号を前記第１無線通信手段に無線にて通信する第２無線通信手段と、を備え、前記火災情報出力装置は、前記第２無線通信手段から送信された前記状態情報を含む信号が前記第１無線通信手段を介して受信された場合に、当該状態情報を前記出力手段に出力させる。
【０１８０】
付記２の火災報知システムは、付記１に記載の火災報知システムにおいて、前記自動体外式除細動器の状態として、当該自動体外式除細動器の使用状態を含み、前記自動体外式除細動器の前記第２無線通信手段は、前記判定手段によって前記自動体外式除細動器が使用状態であると判定された場合に、当該自動体外式除細動器が使用状態である旨を示す前記状態情報を含む信号を前記第１無線通信手段に無線にて通信する。
【０１８１】
付記３の火災報知システムは、付記１又は２に記載の火災報知システムにおいて、前記自動体外式除細動器の状態として、当該自動体外式除細動器の故障状態を含み、前記自動体外式除細動器の前記第２無線通信手段は、前記判定手段によって前記自動体外式除細動器が故障状態であると判定された場合に、当該自動体外式除細動器が故障状態である旨を示す前記状態情報を含む信号を前記第１無線通信手段に無線にて通信する。
【０１８２】
付記４の火災報知システムは、付記１から３のいずれか一項に記載の火災報知システムにおいて、前記自動体外式除細動器の状態として、当該自動体外式除細動器の使用を必要とする使用必要状態を含み、前記自動体外式除細動器の前記第２無線通信手段は、前記判定手段によって前記自動体外式除細動器が使用必要状態であると判定された場合に、当該自動体外式除細動器が使用必要状態である旨を示す前記状態情報を含む信号を前記第１無線通信手段に無線にて通信する。
【０１８３】
付記５の火災報知システムは、付記１から４のいずれか一項に記載の火災報知システムにおいて、前記火災情報出力装置として、前記火災情報を表示手段により表示する表示装置を備え、前記表示装置は、前記第２無線通信手段から送信された前記状態情報を含む信号が前記第１無線通信手段を介して受信された場合に、当該状態情報を前記表示手段に表示させる。
【０１８４】
付記６の火災報知システムは、付記１から５のいずれか一項に記載の火災報知システムにおいて、前記火災情報出力装置として、前記火災情報を警報音出力手段により警報音で出力する音響装置を備え、前記音響装置は、前記第２無線通信手段から送信された前記状態情報を含む信号が前記第１無線通信手段を介して受信された場合に、当該状態情報を前記警報音出力手段に出力させる。
【０１８５】
付記７の火災報知システムは、付記１から６のいずれか一項に記載の火災報知システムにおいて、前記自動体外式除細動器は、前記状態情報を含む信号の通信停止の指示を受け付ける通信停止操作手段を備え、前記自動体外式除細動器の前記第２無線通信手段は、前記通信停止操作手段を介して前記状態情報を含む信号の通信停止の指示が受け付けられた場合に、当該状態情報を含む信号の通信を停止する。
【０１８６】
付記８の火災報知システムは、付記１から７のいずれか一項に記載の火災報知システムにおいて、前記自動体外式除細動器は、当該自動体外式除細動器とは異なる他の装置と相互に通話可能に接続されたものであって、音声を入力する音声入力手段と、音声を出力する音声出力手段と、当該自動体外式除細動器のユーザと前記他の装置のユーザとの間で、音声によって行われる通話に関する処理を行う通話処理手段と、を備えた。
【０１８７】
付記９の火災報知システムは、付記１から８のいずれか一項に記載の火災報知システムにおいて、前記自動体外式除細動器は、前記他の装置と相互に通信可能に接続されたものであって、当該自動体外式除細動器の周囲の画像を撮像する撮像手段、又は、画像を表示する画像表示手段を備え、前記自動体外式除細動器の前記通話処理手段は、前記撮像手段にて撮像された画像を含む信号を前記第２無線通信手段を介して前記他の装置に通信し、又は、前記他の装置から送信された画像を含む信号が前記第２無線通信手段を介して受信された場合に、当該画像を前記画像表示手段に表示させる。
【０１８８】
付記１０の自動体外式除細動器は、除細動を行う自動体外式除細動器であって、当該自動体外式除細動器の状態を判定する判定手段と、第１無線通信手段との間で無線通信を行う第２無線通信手段であり、前記判定手段の判定結果に基づいて、当該自動体外式除細動器の状態を示す状態情報を含む信号を、前記第１無線通信手段を介して火災の報知を示す火災情報を出力する火災情報出力装置に送信する第２無線通信手段と、を備えた。
【０１８９】
（付記の効果）
付記１に記載の火災報知システムによれば、自動体外式除細動器が、判定手段の判定結果に基づいて、当該自動体外式除細動器の状態を示す状態情報を含む信号を第１無線通信手段に無線にて通信する第２無線通信手段と、を備え、火災情報出力装置が、第２無線通信手段から送信された状態情報を含む信号が第１無線通信手段を介して受信された場合に、当該状態情報を出力手段に出力させるので、自動体外式除細動器が第１無線通信手段から離れた場所で使用された場合でも、当該自動体外式除細動器から送信された状態情報を含む信号を第１無線通信手段を介して火災情報出力装置が受信でき、監視領域にいる人に対して状態情報を提示することが可能となる。これにより、監視領域にいる人が、自動体外式除細動器の状態を把握でき、従来技術に比べて自動体外式除細動器の状態に応じた必要な措置を迅速に取ることが可能となる。また、火災情報出力装置の出力手段によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。
【０１９０】
付記２に記載の火災報知システムによれば、第２無線通信手段が、判定手段によって自動体外式除細動器が使用状態であると判定された場合に、当該自動体外式除細動器が使用状態である旨を示す状態情報を含む信号を第１無線通信手段に無線にて通信するので、監視領域にいる人に対して自動体外式除細動器が使用状態である旨を示す状態情報を提示することができる。これにより、監視領域にいる人が、自動体外式除細動器が使用状態であることを把握できることから、心臓が正常に拍動できなくなった状態となった人に対して救命活動を行うために、自動体外式除細動器が使用されている場合に、この自動体外式除細動器の使用者が、当該使用者以外の第三者からの救命活動のサポートを迅速に受けやすくなる。
【０１９１】
付記３に記載の火災報知システムによれば、第２無線通信手段が、判定手段によって自動体外式除細動器が故障状態であると判定された場合に、当該自動体外式除細動器が故障状態である旨を示す状態情報を含む信号を第１無線通信手段に無線にて通信するので、監視領域にいる人に対して自動体外式除細動器が故障状態である旨を示す状態情報を提示することができる。これにより、監視領域にいる人が、自動体外式除細動器が故障状態であることを把握でき、自動体外式除細動器の点検や修理等を迅速に行うことが可能となる。
【０１９２】
付記４に記載の火災報知システムによれば、第２無線通信手段が、判定手段によって自動体外式除細動器が使用必要状態であると判定された場合に、当該自動体外式除細動器が使用必要状態である旨を示す状態情報を含む信号を第１無線通信手段に無線にて通信するので、監視領域にいる人に対して自動体外式除細動器が使用必要状態である旨を示す状態情報を提示することができる。これにより、監視領域にいる人が、自動体外式除細動器が使用必要状態であることを把握でき、自動体外式除細動器の使用を迅速に開始することが可能となる。
【０１９３】
付記５に記載の火災報知システムによれば、表示装置が、第２無線通信手段から送信された状態情報を含む信号が第１無線通信手段を介して受信された場合に、当該状態情報を表示手段に表示させるので、監視領域にいる人に対して状態情報を表示手段に表示して提示でき、監視領域にいる人に対して状態情報を容易且つ確実に伝えることが可能となる。
【０１９４】
付記６に記載の火災報知システムによれば、音響装置が、第２無線通信手段から送信された状態情報を含む信号が第１無線通信手段を介して受信された場合に、当該状態情報を警報音出力手段に出力させるので、監視領域にいる人に対して聴覚を通じて状態情報を提示できる。よって、監視領域にいる人が、出力手段を視認することができない位置にいる場合、又は、出力手段を視認することができるものの、出力手段に表示される情報を視認することが難しい場合であっても、状態情報を迅速に伝えることが可能となる。
【０１９５】
付記７に記載の火災報知システムによれば、自動体外式除細動器の第２無線通信手段が、通信停止操作手段を介して状態情報を含む信号の通信停止の指示が受け付けられた場合に、当該状態情報を含む信号の通信を停止するので、火災報知システムの管理者等が自動体外式除細動器の点検を行う場合に、状態情報が火災情報出力装置の出力手段によって出力されることを回避できるため、自動体外式除細動器が使用されていないにも関わらず、状態情報が誤って出力されることを防止できる。
【０１９６】
付記８に記載の火災報知システムによれば、自動体外式除細動器が、音声を入力する音声入力手段と、音声を出力する音声出力手段と、当該自動体外式除細動器のユーザと他の装置のユーザとの間で、音声によって行われる通話に関する処理を行う通話処理手段と、を備えているので、自動体外式除細動器のユーザと他の装置のユーザとの対話を通じて、自動体外式除細動器のユーザが他の装置のユーザから自動体外式除細動器の使用についてのアドバイス等を受けることができる。
【０１９７】
付記９に記載の火災報知システムによれば、自動体外式除細動器の通話処理手段は、撮像手段にて撮像された画像を含む信号を第２無線通信手段を介して他の装置に通信し、又は、他の装置から送信された画像を含む信号が第２無線通信手段を介して受信された場合に、当該画像を画像表示手段に表示させるので、自動体外式除細動器のユーザと他の装置のユーザとの相互間で画像のやりとりを行うことができる。よって、例えば、他の装置のユーザが、自動体外式除細動器から受信した画像に基づいて、自動体外式除細動器の周囲の状況等を正確に把握することが可能となる。あるいは、自動体外式除細動器のユーザが、他の装置から受信した画像に基づいて、自動体外式除細動器の使用についてのアドバイス等を正確に把握することが可能となる。
【０１９８】
付記１０に記載の自動体外式除細動器によれば、第１無線通信手段との間で無線通信を行う第２無線通信手段であり、判定手段の判定結果に基づいて、当該自動体外式除細動器の状態を示す状態情報を含む信号を、第１無線通信手段を介して火災の報知を示す火災情報を出力する火災情報出力装置に送信する第２無線通信手段を備えたので、自動体外式除細動器が第１無線通信手段から離れた場所で使用された場合でも、状態情報を含む信号を第１無線通信手段を介して火災情報出力装置に送信できることから、監視領域にいる人に対して状態情報を提示することが可能となる。これにより、監視領域にいる人が、自動体外式除細動器の状態を把握でき、従来技術に比べて自動体外式除細動器の状態に応じた必要な措置を迅速に取ることが可能となる。また、火災情報出力装置の出力手段によって、火災情報及び状態情報を出力させるので、例えば、火災情報のみを出力する出力手段と、状態情報のみを出力する出力手段とをそれぞれに設けた場合に比べて、設置スペースを小さくすることができ、設置スペースのコンパクト化を図ることが可能となる。
【符号の説明】
【０１９９】
１  火災報知システム
２  第１配線
３  第２配線
４  第３配線
５  第４配線
６  第５配線
７  第６配線
１０  感知器
２０  複合報知装置
２１  筐体
２２ａ  ベース部
２２ｂ  上部正面パネル部
２２ｃ  下部正面パネル部
２３ａ  第１操作口
２３ｂ  第２操作口
２３ｃ  音響孔
２３ｄ  導光孔
２３ｅ  扉部
２３ｆ  扉窓部
３０  発信機
３１ａ  非常ボタン
３１ｂ  復旧ボタン
４０  ＡＥＤ
４１  ＡＥＤ本体部
４２  操作部
４２ａ  通信停止ボタン
４３  検知部
４４ａ  通信部
４４ｂ  無線通信部
４５  電源部
４６ａ  表示部
４６ｂ  音声入力部
４６ｃ  音声出力部
４７  撮像部
４８  制御部
４８ａ  判定部
４８ｂ  画像処理部
４８ｃ  通話処理部
４９  記憶部
５０  中継装置
５１  通信部
５２  無線通信部
５３  制御部
６０  表示装置
６１  表示灯
６２  通信部
６３  制御部
７０  音響装置
７１  非常ベル
７２  通信部
７３  制御部
８０  受信機
８１  操作部
８２  通信部
８２ａ  Ｌ−Ｃ入力部
８２ｂ  Ａ−Ｃ入力部
８３  表示部
８４  音声入力部
８５  音声出力部
８６  電力供給部
８７  制御部
８７ａ  通話処理部
８８  記憶部
９０  通報装置
１０１  火災報知システム
【図１】
2016151972.tif 000003
【図２】
2016151972.tif 000004
【図３】
2016151972.tif 000005
【図４】
2016151972.tif 000006
【図５】
2016151972.tif 000007
【図６】
2016151972.tif 000008
【図７】
2016151972.tif 000009
【図８】
2016151972.tif 000010
【図９】
2016151972.tif 000011
【図１０】
2016151972.tif 000012
【図１１】
2016151972.tif 000013
【図１２】
2016151972.tif 000014
【図１３】
2016151972.tif 000015
【図１４】
2016151972.tif 000016
【図１５】
2016151972.tif 000017
【図１６】
2016151972.tif 000018
【図１７】
2016151972.tif 000019